(57)【要約】  本出願の実施例は、データ処理方法、アクセスネットワーク機器およびコアネットワーク機器を開示し、当該方法は、アクセスネットワーク機器が、コアネットワーク機器または端末機器によって送信された第１情報を受信することと、当該アクセスネットワーク機器が、当該第１情報に従って、処理されるデータに対してセキュリティ処理を実行するかどうかを決定することとを含む。本出願の実施例の方法、アクセスネットワーク機器およびコアネットワーク機器は、データ伝送のパフォーマンスを向上させるのに有益である。
2021518680.tif 000002
【特許請求の範囲】
【請求項１】
データ処理方法であって、
アクセスネットワーク機器が、コアネットワーク機器または端末機器によって送信された第１情報を受信することと、
前記アクセスネットワーク機器が、前記第１情報に従って、処理されるデータに対してセキュリティ処理を実行するかどうかを決定することとを含むことを特徴とする、前記データ処理方法。
【請求項２】
前記アクセスネットワーク機器が、コアネットワーク機器または端末機器によって送信された第１情報を受信することは、
前記アクセスネットワーク機器が、前記コアネットワーク機器によって送信された前記第１情報を受信することを含み、前記第１情報は、前記処理されるデータに対してセキュリティ処理を実行する必要があること、前記処理されるデータに対してセキュリティ処理を実行する必要がないこと、および前記処理されるデータに対してセキュリティ処理を実行するかどうかに関する提案のうちの１つの情報を指示することを特徴とする、
請求項１に記載のデータ処理方法。
【請求項３】
前記第１情報は、前記端末機器がアップリンク処理を実行するために使用される情報および／または前記端末機器がダウンリンク処理を実行するために使用される情報を含むことを特徴とする、
請求項１または２に記載のデータ処理方法。
【請求項４】
前記アクセスネットワーク機器が、前記第１情報に従って、処理されるデータに対してセキュリティ処理を実行するかどうかを決定することは、
前記第１情報が、前記処理されるデータに対してセキュリティ処理を実行するかどうかに関する提案を指示する場合、前記アクセスネットワーク機器が、前記端末機器の契約情報および／または前記端末機器の能力情報に従って、前記処理されるデータに対してセキュリティ処理を実行するかどうかを決定することを含むことを特徴とする、
請求項２に記載のデータ処理方法。
【請求項５】
前記処理されるデータがアップリンクデータである場合、前記第１情報は、前記端末機器がアップリンク処理を実行するために使用される情報を含み、前記アクセスネットワーク機器が、前記第１情報に従って、処理されるデータに対してセキュリティ処理を実行するかどうかを決定することは、
前記第１情報が、前記アップリンクデータに対してセキュリティ処理を実行するかどうかに関する提案を指示する場合、前記アクセスネットワーク機器は、前記端末機器がアップリンク処理を実行するために使用される契約情報および／または前記端末機器がアップリンク処理を実行するために使用される能力情報に従って、前記アップリンクデータに対してセキュリティ処理を実行するかどうかを決定することを含むことを特徴とする、
請求項３に記載のデータ処理方法。
【請求項６】
前記処理されるデータがダウンリンクデータである場合、前記第１情報は、前記端末機器がダウンリンク処理を実行するために使用される情報を含み、前記アクセスネットワーク機器が、前記第１情報に従って、処理されるデータに対してセキュリティ処理を実行するかどうかを決定することは、
前記第１情報が、前記ダウンリンクデータに対してセキュリティ処理を実行するかどうかに関する提案を指示する場合、前記アクセスネットワーク機器は、前記端末機器がダウンリンク処理を実行するために使用される契約情報および／または前記端末機器がダウンリンク処理を実行するために使用される能力情報に従って、前記ダウンリンクデータに対してセキュリティ処理を実行するかどうかを決定することを含むことを特徴とする、
請求項３に記載のデータ処理方法。
【請求項７】
前記アクセスネットワーク機器が、前記端末機器の能力情報に従って、前記処理されるデータに対してセキュリティ処理を実行するかどうかを決定することは、
前記アクセスネットワーク機器が、前記端末機器がセキュリティ処理をサポートすることができる最大データレートに従って、前記処理されるデータに対してセキュリティ処理を実行するかどうかを決定することを含むことを特徴とする、
請求項４に記載のデータ処理方法。
【請求項８】
前記アクセスネットワーク機器が、前記端末機器がアップリンク処理を実行するために使用される能力情報に従って、前記アップリンクデータに対してセキュリティ処理を実行するかどうかを決定することは、
前記アクセスネットワーク機器が、前記端末機器がアップリンクセキュリティ処理を実行するためにサポートする最大データレートに従って、前記アップリンクデータに対してセキュリティ処理を実行するかどうかを決定することを含むことを特徴とする、
請求項５に記載のデータ処理方法。
【請求項９】
前記アクセスネットワーク機器が、前記端末機器がダウンリンク処理を実行するために使用される能力情報に従って、前記ダウンリンクデータに対してセキュリティ処理を実行するかどうかを決定することは、
前記アクセスネットワーク機器が、前記端末機器がダウンリンクセキュリティ処理を実行するためにサポートする最大データレートに従って、前記ダウンリンクデータに対してセキュリティ処理を実行するかどうかを決定することを含むことを特徴とする、
請求項６に記載のデータ処理方法。
【請求項１０】
前記アクセスネットワーク機器が、前記端末機器がセキュリティ処理をサポートすることができる最大データレートに従って、前記処理されるデータに対してセキュリティ処理を実行するかどうかを決定することは、
前記アクセスネットワーク機器が、第１サービス品質（ＱｏＳ）、第１プロトコルデータユニット（ＰＤＵ）セッションまたは第１ベアラにおける処理されるデータに対してセキュリティ処理を実行することを決定することであって、前記第１ＱｏＳのデータレート、第１ＰＤＵセッションのデータレートまたは第１ベアラのデータレートは前記最大データレートを超えないこと、または、
前記アクセスネットワーク機器が、複数のＱｏＳ、複数のＰＤＵセッションまたは複数のベアラにおける処理されるデータに対してセキュリティ処理を実行することを決定することであって、前記複数のＱｏＳのデータレートの和、前記複数のＰＤＵセッションのデータレートの和または前記複数のベアラのデータレートの和は前記最大データレートを超えないことを含むことを特徴とする、
請求項７に記載のデータ処理方法。
【請求項１１】
前記アクセスネットワーク機器は、前記端末機器がアップリンクセキュリティ処理を実行するためにサポートする最大データレートに従って、前記アップリンクデータに対してセキュリティ処理を実行するかどうかを決定することは、
前記アクセスネットワーク機器が、第１サービス品質（ＱｏＳ）、第１プロトコルデータユニット（ＰＤＵ）セッションまたは第１ベアラにおける前記アップリンクデータに対してセキュリティ処理を実行することを決定することであって、前記第１ＱｏＳのデータレート、第１ＰＤＵセッションのデータレートまたは第１ベアラのデータレートは、前記端末機器がアップリンクセキュリティ処理を実行するためにサポートする最大データレートを超えないこと、または、
前記アクセスネットワーク機器が、複数のＱｏＳ、複数のＰＤＵセッションまたは複数のベアラにおける前記アップリンクデータに対してセキュリティ処理を実行することを決定することであって、前記複数のＱｏＳのデータレートの和、前記複数のＰＤＵセッションのデータレートの和または前記複数のベアラのデータレートの和は、前記端末機器がアップリンクセキュリティ処理を実行するためにサポートする最大データレートを超えないことを含むことを特徴とする、
請求項８に記載のデータ処理方法。
【請求項１２】
前記アクセスネットワーク機器は、前記端末機器がダウンリンクセキュリティ処理を実行するためにサポートする最大データレートに従って、前記ダウンリンクデータに対してセキュリティ処理を実行するかどうかを決定することは、
前記アクセスネットワーク機器が、第１サービス品質（ＱｏＳ）、第１プロトコルデータユニット（ＰＤＵ）セッションまたは第１ベアラにおける前記ダウンリンクデータに対してセキュリティ処理を実行することを決定することであって、前記第１ＱｏＳのデータレート、第１ＰＤＵセッションのデータレートまたは第１ベアラのデータレートは、前記端末機器がダウンリンクセキュリティ処理を実行するためにサポートする最大データレートを超えないこと、または、
前記アクセスネットワーク機器が、複数のＱｏＳ、複数のＰＤＵセッションまたは複数のベアラにおける前記ダウンリンクデータに対してセキュリティ処理を実行することを決定することであって、前記複数のＱｏＳのデータレートの和、前記複数のＰＤＵセッションのデータレートの和または前記複数のベアラのデータレートの和は、前記端末機器がダウンリンクセキュリティ処理を実行するためにサポートする最大データレートを超えないことを含むことを特徴とする、
請求項９に記載のデータ処理方法。
【請求項１３】
前記アクセスネットワーク機器が、前記端末機器がセキュリティ処理をサポートすることができる最大データレートに従って、前記処理されるデータに対してセキュリティ処理を実行するかどうかを決定することは、
前記アクセスネットワーク機器によって査定されたデータレートが前記最大データレートを超えない場合、前記アクセスネットワーク機器は、前記処理されるデータに対してセキュリティ処理を実行することを決定することを含むことを特徴とする、
請求項７に記載のデータ処理方法。
【請求項１４】
前記アクセスネットワーク機器は、前記端末機器がアップリンクセキュリティ処理を実行するためにサポートする最大データレートに従って、前記アップリンクデータに対してセキュリティ処理を実行するかどうかを決定することは、
前記アクセスネットワーク機器によって査定されたデータレートが、前記端末機器がアップリンクセキュリティ処理を実行するためにサポートする最大データレートを超えない場合、前記アクセスネットワーク機器は、前記アップリンクデータに対してセキュリティ処理を実行することを決定することを含むことを特徴とする、
請求項８に記載のデータ処理方法。
【請求項１５】
前記アクセスネットワーク機器は、前記端末機器がダウンリンクセキュリティ処理を実行するためにサポートする最大データレートに従って、前記ダウンリンクデータに対してセキュリティ処理を実行するかどうかを決定することは、
前記アクセスネットワーク機器によって査定されたデータレートが、前記端末機器がダウンリンクセキュリティ処理を実行するためにサポートする最大データレートを超えない場合、前記アクセスネットワーク機器は、前記ダウンリンクデータに対してセキュリティ処理を実行することを決定することを含むことを特徴とする、
請求項９に記載のデータ処理方法。
【請求項１６】
前記端末機器の契約情報および／または前記端末機器の能力情報は前記コアネットワーク機器または前記端末機器によって提供されることを特徴とする、
請求項４ないし１５のいずれか一項に記載のデータ処理方法。
【請求項１７】
前記第１情報は、前記端末機器の契約情報および／または前記端末機器の能力情報を指示することを特徴とする、
請求項１に記載のデータ処理方法。
【請求項１８】
データ処理方法であって、
コアネットワーク機器は、第１情報をアクセスネットワーク機器に送信することを含み、前記第１情報は、前記アクセスネットワーク機器が、処理されるデータに対してセキュリティ処理を実行するかどうかを決定するために使用されることを特徴とする、前記データ処理方法。
【請求項１９】
前記第１情報は、前記処理されるデータに対してセキュリティ処理を実行する必要があること、前記処理されるデータに対してセキュリティ処理を実行する必要がないこと、および前記処理されるデータに対してセキュリティ処理を実行するかどうかに関する提案のうちの１つの情報を指示することを特徴とする、
請求項１８に記載のデータ処理方法。
【請求項２０】
前記第１情報は、前記端末機器がアップリンク処理を実行するために使用される情報および／または前記端末機器がダウンリンク処理を実行するために使用される情報を含むことを特徴とする、
請求項１８または１９に記載のデータ処理方法。
【請求項２１】
前記方法は、
前記コアネットワーク機器が、端末機器の契約情報および／または端末機器の能力情報に従って、前記処理されるデータに対してセキュリティ処理を実行するかどうかを決定することをさらに含むことを特徴とする、
請求項１９に記載のデータ処理方法。
【請求項２２】
前記処理されるデータがアップリンクデータである場合、前記第１情報は、前記端末機器がアップリンク処理を実行するために使用される情報を含み、前記コアネットワーク機器が、前記第１情報に従って、処理されるデータに対してセキュリティ処理を実行するかどうかを決定することは、
前記第１情報が、前記アップリンクデータに対してセキュリティ処理を実行するかどうかに関する提案を指示する場合、前記コアネットワーク機器は、前記端末機器がアップリンク処理を実行するために使用される契約情報および／または前記端末機器がアップリンク処理を実行するために使用される能力情報に従って、前記アップリンクデータに対してセキュリティ処理を実行するかどうかを決定することを含むことを特徴とする、
請求項２０に記載のデータ処理方法。
【請求項２３】
前記処理されるデータがダウンリンクデータである場合、前記第１情報は、前記端末機器がダウンリンク処理を実行するために使用される情報を含み、前記コアネットワーク機器が、前記第１情報に従って、処理されるデータに対してセキュリティ処理を実行するかどうかを決定することは、
前記第１情報が、前記ダウンリンクデータに対してセキュリティ処理を実行するかどうかに関する提案を指示する場合、前記コアネットワーク機器は、前記端末機器がダウンリンク処理を実行するために使用される契約情報および／または前記端末機器がダウンリンク処理を実行するために使用される能力情報に従って、前記ダウンリンクデータに対してセキュリティ処理を実行するかどうかを決定することを含むことを特徴とする、
請求項２０に記載のデータ処理方法。
【請求項２４】
前記コアネットワーク機器が、前記端末機器の能力情報に従って、前記処理されるデータに対してセキュリティ処理を実行するかどうかを決定することは、
前記コアネットワーク機器が、前記端末機器がセキュリティ処理をサポートすることができる最大データレートに従って、前記処理されるデータに対してセキュリティ処理を実行するかどうかを決定することを含むことを特徴とする、
請求項２１に記載のデータ処理方法。
【請求項２５】
前記コアネットワーク機器が、前記端末機器がアップリンク処理を実行するために使用される能力情報に従って、前記アップリンクデータに対してセキュリティ処理を実行するかどうかを決定することは、
前記コアネットワーク機器が、前記端末機器がアップリンクセキュリティ処理を実行するためにサポートする最大データレートに従って、前記アップリンクデータに対してセキュリティ処理を実行するかどうかを決定することを含むことを特徴とする、
請求項２２に記載のデータ処理方法。
【請求項２６】
前記コアネットワーク機器が、前記端末機器がダウンリンク処理を実行するために使用される能力情報に従って、前記ダウンリンクデータに対してセキュリティ処理を実行するかどうかを決定することは、
前記コアネットワーク機器が、前記端末機器がダウンリンクセキュリティ処理を実行するためにサポートする最大データレートに従って、前記ダウンリンクデータに対してセキュリティ処理を実行するかどうかを決定することを含むことを特徴とする、
請求項２３に記載のデータ処理方法。
【請求項２７】
前記コアネットワーク機器が、前記端末機器がセキュリティ処理をサポートすることができる最大データレートに従って、前記処理されるデータに対してセキュリティ処理を実行するかどうかを決定することは、
前記コアネットワーク機器が、第１サービス品質（ＱｏＳ）、第１プロトコルデータユニット（ＰＤＵ）セッションまたは第１ベアラにおける処理されるデータに対してセキュリティ処理を実行することを決定することであって、前記第１ＱｏＳのデータレート、第１ＰＤＵセッションのデータレートまたは第１ベアラのデータレートは前記最大データレートを超えないこと、または、
前記コアネットワーク機器が、複数のＱｏＳ、複数のＰＤＵセッションまたは複数のベアラにおける処理されるデータに対してセキュリティ処理を実行することを決定するであって、前記複数のＱｏＳのデータレートの和、前記複数のＰＤＵセッションのデータレートの和または前記複数のベアラのデータレートの和は前記最大データレートを超えないことを含むことを特徴とする、
請求項２４に記載のデータ処理方法。
【請求項２８】
前記コアネットワーク機器が、前記端末機器がアップリンクセキュリティ処理を実行するためにサポートする最大データレートに従って、前記アップリンクデータに対してセキュリティ処理を実行するかどうかを決定することは、
前記コアネットワーク機器が、第１サービス品質（ＱｏＳ）、第１プロトコルデータユニット（ＰＤＵ）セッションまたは第１ベアラにおける前記アップリンクデータに対してセキュリティ処理を実行することを決定することであって、前記第１ＱｏＳのデータレート、第１ＰＤＵセッションのデータレートまたは第１ベアラのデータレートは、前記端末機器がアップリンクセキュリティ処理を実行するためにサポートする最大データレートを超えないこと、または、
前記コアネットワーク機器が、複数のＱｏＳ、複数のＰＤＵセッションまたは複数のベアラにおける前記アップリンクデータに対してセキュリティ処理を実行することを決定することであって、前記複数のＱｏＳのデータレートの和、前記複数のＰＤＵセッションのデータレートの和または前記複数のベアラのデータレートの和は、前記端末機器がアップリンクセキュリティ処理を実行するためにサポートする最大データレートを超えないことを含むことを特徴とする、
請求項２５に記載のデータ処理方法。
【請求項２９】
前記コアネットワーク機器が、前記端末機器がダウンリンクセキュリティ処理を実行するためにサポートする最大データレートに従って、前記ダウンリンクデータに対してセキュリティ処理を実行するかどうかを決定することは、
前記コアネットワーク機器が、第１サービス品質（ＱｏＳ）、第１プロトコルデータユニット（ＰＤＵ）セッションまたは第１ベアラにおける前記ダウンリンクデータに対してセキュリティ処理を実行することを決定することであって、前記第１ＱｏＳのデータレート、第１ＰＤＵセッションのデータレートまたは第１ベアラのデータレートは、前記端末機器がダウンリンクセキュリティ処理を実行するためにサポートする最大データレートを超えないこと、または、
前記コアネットワーク機器が、複数のＱｏＳ、複数のＰＤＵセッションまたは複数のベアラにおける前記ダウンリンクデータに対してセキュリティ処理を実行することを決定することであって、前記複数のＱｏＳのデータレートの和、前記複数のＰＤＵセッションのデータレートの和または前記複数のベアラのデータレートの和は、前記端末機器がダウンリンクセキュリティ処理を実行するためにサポートする最大データレートを超えないことを含むことを特徴とする、
請求項２６に記載のデータ処理方法。
【請求項３０】
前記第１情報は、端末機器の契約情報および／または前記端末機器の能力情報を指示することを特徴とする、
請求項１８に記載のデータ処理方法。
【請求項３１】
アクセスネットワーク機器であって、
コアネットワーク機器または端末機器によって送信された第１情報を受信するように構成される受信ユニットと、
前記第１情報に従って、処理されるデータに対してセキュリティ処理を実行するかどうかを決定するように構成される決定ユニットとを備えることを特徴とする、前記アクセスネットワーク機器。
【請求項３２】
前記受信ユニットは、具体的に、
前記コアネットワーク機器によって送信された前記第１情報を受信するように構成され、前記第１情報は、前記処理されるデータに対してセキュリティ処理を実行する必要があること、前記処理されるデータに対してセキュリティ処理を実行する必要がないこと、および前記処理されるデータに対してセキュリティ処理を実行するかどうかに関する提案のうちの１つの情報を指示することを特徴とする、
請求項３１に記載のアクセスネットワーク機器。
【請求項３３】
前記第１情報は、前記端末機器がアップリンク処理を実行するために使用される情報および／または前記端末機器がダウンリンク処理を実行するために使用される情報を含むことを特徴とする、
請求項３１または３２に記載のアクセスネットワーク機器。
【請求項３４】
前記決定ユニットは、具体的に、
前記第１情報が、前記処理されるデータに対してセキュリティ処理を実行するかどうかに関する提案を指示する場合、前記端末機器の契約情報および／または前記端末機器の能力情報に従って、前記処理されるデータに対してセキュリティ処理を実行するかどうかを決定するように構成されることを特徴とする、
請求項３２に記載のアクセスネットワーク機器。
【請求項３５】
前記処理されるデータがアップリンクデータである場合、前記第１情報は、前記端末機器がアップリンク処理を実行するために使用される情報を含み、前記決定ユニットは、具体的に、
前記第１情報が、前記アップリンクデータに対してセキュリティ処理を実行するかどうかに関する提案を指示する場合、前記端末機器がアップリンク処理を実行するために使用される契約情報および／または前記端末機器がアップリンク処理を実行するために使用される能力情報に従って、前記アップリンクデータに対してセキュリティ処理を実行するかどうかを決定するように構成されることを特徴とする、
請求項３３に記載のアクセスネットワーク機器。
【請求項３６】
前記処理されるデータがダウンリンクデータである場合、前記第１情報は、前記端末機器がダウンリンク処理を実行するために使用される情報を含み、前記決定ユニットは、具体的に、
前記第１情報が、前記ダウンリンクデータに対してセキュリティ処理を実行するかどうかに関する提案を指示する場合、前記端末機器がダウンリンク処理を実行するために使用される契約情報および／または前記端末機器がダウンリンク処理を実行するために使用される能力情報に従って、前記ダウンリンクデータに対してセキュリティ処理を実行するかどうかを決定するように構成されることを特徴とする、
請求項３３に記載のアクセスネットワーク機器。
【請求項３７】
前記決定ユニットは、具体的に、
前記端末機器がセキュリティ処理をサポートすることができる最大データレートに従って、前記処理されるデータに対してセキュリティ処理を実行するかどうかを決定するように構成されることを特徴とする、
請求項３４に記載のアクセスネットワーク機器。
【請求項３８】
前記決定ユニットは、具体的に、
前記端末機器がアップリンクセキュリティ処理を実行するためにサポートする最大データレートに従って、前記アップリンクデータに対してセキュリティ処理を実行するかどうかを決定するように構成されることを特徴とする、
請求項３５に記載のアクセスネットワーク機器。
【請求項３９】
前記決定ユニットは、具体的に、
前記端末機器がダウンリンクセキュリティ処理を実行するためにサポートする最大データレートに従って、前記ダウンリンクデータに対してセキュリティ処理を実行するかどうかを決定するように構成されることを特徴とする、
請求項３６に記載のアクセスネットワーク機器。
【請求項４０】
前記決定ユニットは、具体的に、
第１サービス品質（ＱｏＳ）、第１プロトコルデータユニット（ＰＤＵ）セッションまたは第１ベアラにおける処理されるデータに対してセキュリティ処理を実行することを決定し、前記第１ＱｏＳのデータレート、第１ＰＤＵセッションのデータレートまたは第１ベアラのデータレートは前記最大データレートを超えず、または、
複数のＱｏＳ、複数のＰＤＵセッションまたは複数のベアラにおける処理されるデータに対してセキュリティ処理を実行することを決定し、前記複数のＱｏＳのデータレートの和、前記複数のＰＤＵセッションのデータレートの和または前記複数のベアラのデータレートの和は前記最大データレートを超えないように構成されることを特徴とする、
請求項３７に記載のアクセスネットワーク機器。
【請求項４１】
前記決定ユニットは、具体的に、
第１サービス品質（ＱｏＳ）、第１プロトコルデータユニット（ＰＤＵ）セッションまたは第１ベアラにおける前記アップリンクデータに対してセキュリティ処理を実行することを決定し、前記第１ＱｏＳのデータレート、第１ＰＤＵセッションのデータレートまたは第１ベアラのデータレートは、前記端末機器がアップリンクセキュリティ処理を実行するためにサポートする最大データレートを超えず、または、
複数のＱｏＳ、複数のＰＤＵセッションまたは複数のベアラにおける前記アップリンクデータに対してセキュリティ処理を実行することを決定し、前記複数のＱｏＳのデータレートの和、前記複数のＰＤＵセッションのデータレートの和または前記複数のベアラのデータレートの和は、前記端末機器がアップリンクセキュリティ処理を実行するためにサポートする最大データレートを超えないように構成されることを特徴とする、
請求項３８に記載のアクセスネットワーク機器。
【請求項４２】
前記決定ユニットは、具体的に、
第１サービス品質（ＱｏＳ）、第１プロトコルデータユニット（ＰＤＵ）セッションまたは第１ベアラにおける前記ダウンリンクデータに対してセキュリティ処理を実行することを決定し、前記第１ＱｏＳのデータレート、第１ＰＤＵセッションのデータレートまたは第１ベアラのデータレートは、前記端末機器がダウンリンクセキュリティ処理を実行するためにサポートする最大データレートを超えず、または、
複数のＱｏＳ、複数のＰＤＵセッションまたは複数のベアラにおける前記ダウンリンクデータに対してセキュリティ処理を実行することを決定し、前記複数のＱｏＳのデータレートの和、前記複数のＰＤＵセッションのデータレートの和または前記複数のベアラのデータレートの和は、前記端末機器がダウンリンクセキュリティ処理を実行するためにサポートする最大データレートを超えないように構成されることを特徴とする、
請求項３９に記載のアクセスネットワーク機器。
【請求項４３】
前記決定ユニットは、具体的に、
前記アクセスネットワーク機器によって査定されたデータレートが前記最大データレートを超えない場合、前記処理されるデータに対してセキュリティ処理を実行することを決定するように構成されることを特徴とする、
請求項３７に記載のアクセスネットワーク機器。
【請求項４４】
前記決定ユニットは、具体的に、
前記アクセスネットワーク機器によって査定されたデータレートが、前記端末機器がアップリンクセキュリティ処理を実行するためにサポートする最大データレートを超えない場合、前記アップリンクデータに対してセキュリティ処理を実行することを決定するように構成されることを特徴とする、
請求項３８に記載のアクセスネットワーク機器。
【請求項４５】
前記決定ユニットは、具体的に、
前記アクセスネットワーク機器によって査定されたデータレートが、前記端末機器がダウンリンクセキュリティ処理を実行するためにサポートする最大データレートを超えない場合、前記ダウンリンクデータに対してセキュリティ処理を実行することを決定するように構成されることを特徴とする、
請求項３９に記載のアクセスネットワーク機器。
【請求項４６】
前記端末機器の契約情報および／または前記端末機器の能力情報は前記コアネットワーク機器または前記端末機器によって提供されることを特徴とする、
請求項３４ないし４５のいずれか一項に記載のアクセスネットワーク機器。
【請求項４７】
前記第１情報は、前記端末機器の契約情報および／または前記端末機器の能力情報を指示することを特徴とする、
請求項３１に記載のアクセスネットワーク機器。
【請求項４８】
コアネットワーク機器であって、
第１情報をアクセスネットワーク機器に送信するように構成される送信ユニットを備え、前記第１情報は、前記アクセスネットワーク機器が、処理されるデータに対してセキュリティ処理を実行するかどうかを決定するために使用されることを特徴とする、前記コアネットワーク機器。
【請求項４９】
前記第１情報は、前記処理されるデータに対してセキュリティ処理を実行する必要があること、前記処理されるデータに対してセキュリティ処理を実行する必要がないこと、および前記処理されるデータに対してセキュリティ処理を実行するかどうかに関する提案のうちの１つの情報を指示することを特徴とする、
請求項４８に記載のコアネットワーク機器。
【請求項５０】
前記第１情報は、前記端末機器がアップリンク処理を実行するために使用される情報および／または前記端末機器がダウンリンク処理を実行するために使用される情報を含むことを特徴とする、
請求項４８または４９に記載のコアネットワーク機器。
【請求項５１】
前記コアネットワーク機器は、
端末機器の契約情報および／または端末機器の能力情報に従って、前記処理されるデータに対してセキュリティ処理を実行するかどうかを決定するように構成される決定ユニットをさらに備えることを特徴とする、
請求項４９に記載のコアネットワーク機器。
【請求項５２】
前記処理されるデータがアップリンクデータである場合、前記第１情報は、前記端末機器がアップリンク処理を実行するために使用される情報を含み、前記コアネットワーク機器は、
前記第１情報が、前記アップリンクデータに対してセキュリティ処理を実行するかどうかに関する提案を指示する場合、前記端末機器がアップリンク処理を実行するために使用される契約情報および／または前記端末機器がアップリンク処理を実行するために使用される能力情報に従って、前記アップリンクデータに対してセキュリティ処理を実行するかどうかを決定するように構成される決定ユニットをさらに備えることを特徴とする、
請求項５０に記載のコアネットワーク機器。
【請求項５３】
前記処理されるデータがダウンリンクデータである場合、前記第１情報は、前記端末機器がダウンリンク処理を実行するために使用される情報を含み、前記コアネットワーク機器は、
前記第１情報が、前記ダウンリンクデータに対してセキュリティ処理を実行するかどうかに関する提案を指示する場合、前記端末機器がダウンリンク処理を実行するために使用される契約情報および／または前記端末機器がダウンリンク処理を実行するために使用される能力情報に従って、前記ダウンリンクデータに対してセキュリティ処理を実行するかどうかを決定するように構成される決定ユニットをさらに備えることを特徴とする、
請求項５０に記載のコアネットワーク機器。
【請求項５４】
前記決定ユニットは、具体的に、
前記端末機器がセキュリティ処理をサポートすることができる最大データレートに従って、前記処理されるデータに対してセキュリティ処理を実行するかどうかを決定するように構成されることを特徴とする、
請求項５１に記載のコアネットワーク機器。
【請求項５５】
前記決定ユニットは、具体的に、
前記端末機器がアップリンクセキュリティ処理を実行するためにサポートする最大データレートに従って、前記アップリンクデータに対してセキュリティ処理を実行するかどうかを決定するように構成されることを特徴とする、
請求項５２に記載のコアネットワーク機器。
【請求項５６】
前記決定ユニットは、具体的に、
前記端末機器がダウンリンクセキュリティ処理を実行するためにサポートする最大データレートに従って、前記ダウンリンクデータに対してセキュリティ処理を実行するかどうかを決定するように構成されることを特徴とする、
請求項５３に記載のコアネットワーク機器。
【請求項５７】
前記決定ユニットは、具体的に、
第１サービス品質（ＱｏＳ）、第１プロトコルデータユニット（ＰＤＵ）セッションまたは第１ベアラにおける処理されるデータに対してセキュリティ処理を実行し、前記第１ＱｏＳのデータレート、第１ＰＤＵセッションのデータレートまたは第１ベアラのデータレートは前記最大データレートを超えず、または、
複数のＱｏＳ、複数のＰＤＵセッションまたは複数のベアラにおける処理されるデータに対してセキュリティ処理を実行し、前記複数のＱｏＳのデータレートの和、前記複数のＰＤＵセッションのデータレートの和または前記複数のベアラのデータレートの和は前記最大データレートを超えないように構成されることを特徴とする、
請求項５４に記載のコアネットワーク機器。
【請求項５８】
前記決定ユニットは、具体的に、
第１サービス品質（ＱｏＳ）、第１プロトコルデータユニット（ＰＤＵ）セッションまたは第１ベアラにおける前記アップリンクデータに対してセキュリティ処理を実行することを決定し、前記第１ＱｏＳのデータレート、第１ＰＤＵセッションのデータレートまたは第１ベアラのデータレートは、前記端末機器がアップリンクセキュリティ処理を実行するためにサポートする最大データレートを超えず、または、
複数のＱｏＳ、複数のＰＤＵセッションまたは複数のベアラにおける前記アップリンクデータに対してセキュリティ処理を実行することを決定し、前記複数のＱｏＳのデータレートの和、前記複数のＰＤＵセッションのデータレートの和または前記複数のベアラのデータレートの和は、前記端末機器がアップリンクセキュリティ処理を実行するためにサポートする最大データレートを超えないように構成されることを特徴とする、
請求項５５に記載のコアネットワーク機器。
【請求項５９】
前記決定ユニットは、具体的に、
第１サービス品質（ＱｏＳ）、第１プロトコルデータユニット（ＰＤＵ）セッションまたは第１ベアラにおける前記ダウンリンクデータに対してセキュリティ処理を実行することを決定し、前記第１ＱｏＳのデータレート、第１ＰＤＵセッションのデータレートまたは第１ベアラのデータレートは、前記端末機器がダウンリンクセキュリティ処理を実行するためにサポートする最大データレートを超えず、または、
複数のＱｏＳ、複数のＰＤＵセッションまたは複数のベアラにおける前記ダウンリンクデータに対してセキュリティ処理を実行することを決定し、前記複数のＱｏＳのデータレートの和、前記複数のＰＤＵセッションのデータレートの和または前記複数のベアラのデータレートの和は、前記端末機器がダウンリンクセキュリティ処理を実行するためにサポートする最大データレートを超えないように構成されることを特徴とする、
請求項５６に記載のコアネットワーク機器。
【請求項６０】
前記第１情報は、端末機器の契約情報および／または前記端末機器の能力情報を指示することを特徴とする、
請求項４８に記載のコアネットワーク機器。
【請求項６１】
アクセスネットワーク機器であって、
プロセッサおよびメモリを備え、前記メモリは、コンピュータプログラムを記憶するように構成され、前記プロセッサは、前記メモリに記憶されたコンピュータプログラムを呼び出して実行して、請求項１ないし１０のいずれか一項に記載の方法を実行するように構成されることを特徴とする、前記アクセスネットワーク機器。
【請求項６２】
コアネットワーク機器であって、
プロセッサおよびメモリを備え、前記メモリは、コンピュータプログラムを記憶するように構成され、前記プロセッサは、前記メモリに記憶されたコンピュータプログラムを呼び出して実行して、請求項１１ないし２０のいずれか一項に記載の方法を実行するように構成されることを特徴とする、前記コアネットワーク機器。
【請求項６３】
チップであって、
メモリからコンピュータプログラムを呼び出して実行して、前記チップが実装された機器が、請求項１ないし１７のいずれか一項に記載の方法を実行するように構成されるプロセッサを備えることを特徴とする、前記チップ。
【請求項６４】
チップであって、
メモリからコンピュータプログラムを呼び出して実行して、前記チップが実装された機器が、請求項１８ないし３０のいずれか一項に記載の方法を実行するように構成されるプロセッサを備えることを特徴とする、前記チップ。
【請求項６５】
コンピュータ読み取り可能な記憶媒体であって、
コンピュータプログラムを記憶するように構成され、前記コンピュータプログラムは、コンピュータが請求項１ないし１７のいずれか一項に記載の方法を実行するようにすることを特徴とする、前記コンピュータ読み取り可能な記憶媒体。
【請求項６６】
コンピュータ読み取り可能な記憶媒体であって、
コンピュータプログラムを記憶するように構成され、前記コンピュータプログラムは、コンピュータが請求項１８ないし３０のいずれか一項に記載の方法を実行するようにすることを特徴とする、前記コンピュータ読み取り可能な記憶媒体。
【請求項６７】
コンピュータプログラム製品であって、
コンピュータプログラム命令を含み、前記コンピュータプログラム命令は、コンピュータが請求項１ないし１７のいずれか一項に記載の方法を実行するようにすることを特徴とする、前記コンピュータプログラム製品。
【請求項６８】
コンピュータプログラム製品であって、
コンピュータプログラム命令を含み、前記コンピュータプログラム命令は、コンピュータが請求項１８ないし３０のいずれか一項に記載の方法を実行するようにすることを特徴とする、前記コンピュータプログラム製品。
【請求項６９】
コンピュータプログラムであって、
コンピュータが請求項１ないし１７のいずれか一項に記載の方法を実行するようにする、前記コンピュータプログラム。
【請求項７０】
コンピュータプログラムであって、
コンピュータが請求項１８ないし３０のいずれか一項に記載の方法を実行するようにする、前記コンピュータプログラム。
【発明の詳細な説明】
【技術分野】
【０００１】
本願は、２０１８年０３月１５日に中国特許局に提出された、出願番号がＰＣＴ／ＣＮ２０１８／０７９２００であり、発明の名称が「データ処理方法、アクセスネットワーク機器およびコアネットワーク機器」であるＰＣＴ出願の優先権を主張し、当該中国特許出願の全ての内容が参照により本願に組み込まれている。
【０００２】
本出願の実施例は、通信分野に関し、より具体的に、データ処理方法、アクセスネットワーク機器およびコアネットワーク機器に関する。
【背景技術】
【０００３】
通信システムにおいて、データ伝送の前に、通常、データに対して完全性保護を実行し、および／または暗号化処理を実行するなど、セキュリティ処理を実行する必要があるが、実際には、いくつかのデータは、セキュリティ処理なしで、確実に伝送されることができ、この一部のデータに対してセキュリティ処理を実行すると、データ伝送のパフォーマンスが低下する。
【発明の概要】
【発明が解決しようとする課題】
【０００４】
これを鑑みて、本出願は、データ処理方法、アクセスネットワーク機器およびコアネットワーク機器を提供し、アクセスネットワーク機器は、コアネットワーク機器または端末機器によって送信された補助情報に従って、処理されるデータに対してセキュリティ処理を実行するかどうかを判断することにより、データ伝送のパフォーマンスを改善することができる。
【課題を解決するための手段】
【０００５】
第１態様によれば、データ処理方法を提供し、当該方法は、アクセスネットワーク機器が、コアネットワーク機器または端末機器によって送信された第１情報を受信することと、当該アクセスネットワーク機器が、当該第１情報に従って、処理されるデータに対してセキュリティ処理を実行するかどうかを決定することとを含む。
【０００６】
一可能な実施形態において、当該アクセスネットワーク機器が、コアネットワーク機器または端末機器によって送信された第１情報を受信することは、当該アクセスネットワーク機器が当該コアネットワーク機器によって送信された当該第１情報を受信することであって、当該第１情報は、当該処理されるデータに対してセキュリティ処理を実行する必要があること、当該処理されるデータに対してセキュリティ処理を実行する必要がないことおよび当該処理されるデータに対してセキュリティ処理を実行するかどうかに関する提案のうちの１つの情報を指示することを含む。
【０００７】
一可能な実施形態において、当該アクセスネットワーク機器が、当該第１情報に従って、処理されるデータに対してセキュリティ処理を実行するかどうかを決定することは、当該第１情報が、当該処理されるデータに対してセキュリティ処理を実行するかどうかに関する提案を指示する場合、当該アクセスネットワーク機器が、当該端末機器の契約情報および／または当該端末機器の能力情報に従って、当該処理されるデータに対してセキュリティ処理を実行するかどうかを決定することを含む。
【０００８】
一可能な実施形態において、当該アクセスネットワーク機器が、当該端末機器の能力情報に従って、当該処理されるデータに対してセキュリティ処理を実行するかどうかを決定することは、当該アクセスネットワーク機器が、当該端末機器がセキュリティ処理をサポートすることができる最大データレートに従って、当該処理されるデータに対してセキュリティ処理を実行するかどうかを決定することを含む。
【０００９】
一可能な実施形態において、当該アクセスネットワーク機器が、当該端末機器がセキュリティ処理をサポートすることができる最大データレートに従って、当該処理されるデータに対してセキュリティ処理を実行するかどうかを決定することは、当該アクセスネットワーク機器が、第１サービス品質（ＱｏＳ）、第１プロトコルデータユニット（ＰＤＵ）セッションまたは第１ベアラにおける処理されるデータに対してセキュリティ処理を実行することであって、当該第１ＱｏＳのデータレート、第１ＰＤＵセッションのデータレートまたは第１ベアラのデータレートは当該最大データレートを超えないこと、または当該アクセスネットワーク機器が、複数のＱｏＳ、複数のＰＤＵセッションまたは複数のベアラにおける処理されるデータに対してセキュリティ処理を実行することであって、当該複数のＱｏＳのデータレートの和、当該複数のＰＤＵセッションのデータレートの和または当該複数のベアラのデータレートの和は当該最大データレートを超えないことを含む。
【００１０】
一可能な実施形態において、前記アクセスネットワーク機器が、前記端末機器がセキュリティ処理をサポートすることができる最大データレートに従って、前記処理されるデータに対してセキュリティ処理を実行するかどうかを決定することは、前記アクセスネットワーク機器によって査定されたデータレートが前記最大データレートを超えない場合、前記アクセスネットワーク機器は、前記処理されるデータに対してセキュリティ処理を実行することを決定することを含む。
【００１１】
一可能な実施形態において、当該端末機器の契約情報および／または当該端末機器の能力情報は、当該コアネットワーク機器または当該端末機器によって提供される。
【００１２】
一可能な実施形態において、当該第１情報は、当該端末機器の契約情報および／または当該端末機器の能力情報を指示する。
【００１３】
第２態様によれば、データ処理方法を提供し、当該方法は、コアネットワーク機器が、第１情報をアクセスネットワーク機器に送信することであって、当該第１情報は、当該アクセスネットワーク機器が、処理されるデータに対してセキュリティ処理を実行するかどうかを決定するために使用されることを含む。
【００１４】
一可能な実施形態において、当該第１情報は、当該処理されるデータに対してセキュリティ処理を実行する必要があること、当該処理されるデータに対してセキュリティ処理を実行する必要がないことおよび当該処理されるデータに対してセキュリティ処理を実行するかどうかに関する提案のうちの１つの情報を指示する。
【００１５】
一可能な実施形態において、当該方法は、当該コアネットワーク機器が、端末機器の契約情報および／または端末機器の能力情報に従って、当該処理されるデータに対してセキュリティ処理を実行するかどうかを決定することをさらに含む。
【００１６】
一可能な実施形態において、当該コアネットワーク機器が、端末機器の能力情報に従って、当該処理されるデータに対してセキュリティ処理を実行するかどうかを決定することは、当該コアネットワーク機器が、当該端末機器がセキュリティ処理をサポートすることができる最大データレートに従って、当該処理されるデータに対してセキュリティ処理を実行するかどうかを決定することを含む。
【００１７】
一可能な実施形態において、当該コアネットワーク機器が、当該端末機器がセキュリティ処理をサポートすることができる最大データレートに従って、当該処理されるデータに対してセキュリティ処理を実行するかどうかを決定することは、当該コアネットワーク機器が、第１サービス品質（ＱｏＳ）、第１プロトコルデータユニット（ＰＤＵ）セッションまたは第１ベアラにおける処理されるデータに対してセキュリティ処理を実行することであって、当該第１ＱｏＳのデータレート、第１ＰＤＵセッションのデータレートまたは第１ベアラのデータレートは当該最大データレートを超えないこと、または当該コアネットワーク機器が、複数のＱｏＳ、複数のＰＤＵセッションまたは複数のベアラにおける処理されるデータに対してセキュリティ処理を実行する、当該複数のＱｏＳのデータレートの和、当該複数のＰＤＵセッションのデータレートの和または当該複数のベアラのデータレートの和は当該最大データレートを超えないことを含む。
【００１８】
一可能な実施形態において、当該第１情報は、端末機器の契約情報および／または当該端末機器の能力情報を指示する。
【００１９】
第３態様によれば、上記の第１態様または第１態様の任意の可能な実施形態における方法を実行するように構成されるアクセスネットワーク機器を提供する。具体的に、当該アクセスネットワーク機器は、上記の第１態様または第１態様の任意の可能な実施形態における方法を実行するように構成されるユニットを備える。
【００２０】
第４態様によれば、上記の第２態様または第２態様の任意の可能な実施形態における方法を実行するように構成されるコアネットワーク機器を提供する。具体的に、当該コアネットワーク機器は、上記の第２態様または第２態様の任意の可能な実施形態における方法を実行するように構成されるユニットを含む。
【００２１】
第５態様によれば、アクセスネットワーク機器を提供し、当該アクセスネットワーク機器は、メモリ、プロセッサ、入力インターフェースおよび出力インターフェースを備える。ここで、メモリ、プロセッサ、入力インターフェースおよび出力インターフェースは、バスシステムを介して接続する。当該メモリは命令を記憶するように構成され、当該プロセッサは、当該メモリによって記憶された、上記の第１態様または第１態様の任意の可能な実施形態における方法を実行するための命令を実行するように構成される。
【００２２】
第６態様によれば、コアネットワーク機器を提供し、当該コアネットワーク機器は、メモリ、プロセッサ、入力インターフェースおよび出力インターフェースを備える。ここで、メモリ、プロセッサ、入力インターフェースおよび出力インターフェースは、バスシステムを介して接続する。当該メモリは命令を記憶するように構成され、当該プロセッサは、当該メモリによって記憶された、上記の第２態様または第２態様の任意の可能な実施形態における方法を実行するための命令を実行するように構成される。
【００２３】
第７態様によれば、上記の第１態様または第１態様の任意の可能な実施形態における方法、または上記の第２態様または第２態様の任意の可能な実施形態における方法を実行するために使用される、上記の態様を実行するように設計されたプログラムを含むコンピュータソフトウェア命令を記憶するために使用される、コンピュータ記憶媒体を提供する。
【００２４】
第８態様によれば、命令が含まれたコンピュータプログラム製品を提供し、前記コンピュータプログラム製品は、コンピュータによって実行されるときに、コンピュータが上記の第１態様または第１態様のいずれか１つの例示的な実施形態における方法、または上記の第２態様または第２態様のいずれか１つの例示的な実施形態における方法を実行するようにする。
【００２５】
第９態様によれば、コンピュータプログラムを提供し、前記コンピュータプログラムは、コンピュータによって実行されるときに、コンピュータが上記の第１態様および第２態様のいずれか１つの態様または上記の態様の各実施形態における方法を実行するようにする。
【００２６】
本出願のこれらの態様または他の態様は、以下の実施例の説明において、より簡単明瞭になる。
【図面の簡単な説明】
【００２７】
【図１】本出願の実施例の適用シナリオの概略図を示す。
【図２】本出願の実施例のデータ処理方法の例示的なブロック図を示す。
【図３】本出願の実施例のデータ処理方法の別の例示的なブロック図を示す。
【図４】本出願の実施例のアクセスネットワーク機器の例示的なブロック図を示す。
【図５】本出願の実施例のコアネットワーク機器の例示的なブロック図を示す。
【図６】本出願の実施例のアクセスネットワーク機器の別の例示的なブロック図を示す。
【図７】本出願の実施例のコアネットワーク機器の別の例示的なブロック図を示す。
【図８】本出願の実施例で提供されたチップの例示的なブロック図である。
【図９】本出願の実施例で提供された通信システムの例示的なブロック図である。
【発明を実施するための形態】
【００２８】
以下、本出願の実施例における技術的解決策を本出願の実施例における図面を参照して明確かつ完全に説明する。
【００２９】
本出願の実施例の技術案は、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、コード分割多重アクセス（ＣＤＭＡ：Ｃｏｄｅ  Ｄｉｖｉｓｉｏｎ  Ｍｕｌｔｉｐｌｅ  Ａｃｃｅｓｓ）システム、広帯域コード分離多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｖｅｄ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割二重化（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、ニューラジオ（ＮＲ：Ｎｅｗ  Ｒａｄｉｏ）または未来の５Ｇシステムなど、様々な通信システムに適用されることができることを理解されたい。
【００３０】
特に、本出願の実施例の技術案は、例えば、スパースコード多重アクセス（ＳＣＭＡ：Ｓｐａｒｓｅ  Ｃｏｄｅ  Ｍｕｌｔｉｐｌｅ  Ａｃｃｅｓｓ）システム、低密度シグネチャ（ＬＤＳ：Ｌｏｗ  Ｄｅｎｓｉｔｙ  Ｓｉｇｎａｔｕｒｅ）システムなど、非直交多重アクセス技術に基づく様々な通信システムに適用されることができ、もちろん、通信分野では、ＳＣＭＡシステムやＬＤＳシステムは、他の名称で呼ばれることもあり、さらに、本出願の実施例の技術案は、例えば、非直交多重アクセス技術を使用した直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルタバンクマルチキャリア（ＦＢＭＣ：Ｆｉｌｔｅｒ  Ｂａｎｋ  Ｍｕｌｔｉ−Ｃａｒｒｉｅｒ）、汎用周波数分割多重（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ、ＧＦＤＭ）、フィルタリングされた直交周波数分割多重（Ｆ−ＯＦＤＭ：Ｆｉｌｔｅｒｅｄ−ＯＦＤＭ）システムなど、非直交多重アクセス技術を使用したマルチキャリア伝送システムに適用されることができる。
【００３１】
本出願の実施例における端末機器は、ユーザ機器（ＵＥ：Ｕｓｅｒ  Ｅｑｕｉｐｍｅｎｔ）、アクセス端末、ユーザユニット、ユーザステーション、移動ステーション、移動局、遠隔局、遠隔端末、モバイル機器、ユーザ端末、端末、無線通信デバイス、ユーザエージェント、またはユーザ装置を指し得る。アクセス端末は、携帯電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイスまたは無線モデムに接続されたその他の処理デバイス、車載デバイス、ウェアラブルデバイスおよび５Ｇネットワークの端末機器または将来進化するＰＬＭＮの端末機器などであり得る。
【００３２】
本出願の実施例におけるネットワーク機器は、端末機器と通信する機器であってもよく、前記ネットワーク機器は、ＧＳＭまたはＣＤＭＡの基地局（ＢＴＳ：Ｂａｓｅ  Ｔｒａｎｓｃｅｉｖｅｒ  Ｓｔａｔｉｏｎ）であってもよく、ＷＣＤＭＡシステムの基地局（ＮＢ：ＮｏｄｅＢ）であってもよく、ＬＴＥシステムの進化型基地局（ｅＮＢまたはｅＮｏｄｅＢ：Ｅｖｏｌｕｔｉｏｎａｌ  ＮｏｄｅＢ）であってもよく、クラウド無線アクセスネットワーク（ＣＲＡＮ：Ｃｌｏｕｄ  Ｒａｄｉｏ  Ａｃｃｅｓｓ  Ｎｅｔｗｏｒｋ）シナリオでのワイヤレスコントローラであってもよく、または前記ネットワーク機器は、リレーステーション、アクセスポイント、車載デバイス、ウェアラブルデバイスおよび未来５Ｇネットワークのネットワーク機器または未来進化のＰＬＭＮネットワークのネットワーク機器などであってもよく、本出願の実施例は限定されない。
【００３３】
図１は、本出願の実施例の適用シナリオの概略図である。図１の通信システムは、端末機器１０およびネットワーク機器２０を備えることができる。ネットワーク機器２０は、端末機器１０に通信サービスを提供し、コアネットワークにアクセスするように構成され、端末機器１０は、ネットワーク機器２０によって送信された同期信号や放送信号などを検索してネットワークにアクセスし、それにより、ネットワークと通信する。図１で示された矢印は、端末機器１０とネットワーク機器２０との間のセルラリンクを介して実行されるアップリンク伝送／ダウンリンク伝送を示す。
【００３４】
通信システムにおいて、データ伝送の前に、通常、セキュリティ処理を実行する必要があり、例えば、データに対して完全性保護を実行し、および／または暗号化処理を実行するが、実際では、いくつかのデータは、セキュリティ処理なしで、確実に伝送されることができ、この一部のデータに対してセキュリティ処理を実行すると、データ伝送のパフォーマンスが低下する。
【００３５】
この場合、本出願の実施例はデータ処理方法を提供し、これは、データ伝送のパフォーマンスを向上させるのに有益である。
【００３６】
図２は、本出願の実施例のデータ処理方法１００の例示的なブロック図を示す。図２に示されたように、当該方法１００は、次のステップの一部または全部を含む。
【００３７】
ステップＳ１１０において、アクセスネットワーク機器は、コアネットワーク機器または端末機器によって送信された第１情報を受信する。
【００３８】
ステップＳ１２０において、当該アクセスネットワーク機器は、当該第１情報に従って、処理されるデータに対してセキュリティ処理を実行するかどうかを決定する。
【００３９】
具体的に、アクセスネットワーク機器は、コアネットワーク機器または端末機器からいくつかの補助情報を取得して、処理されるデータに対してセキュリティ処理を実行するかどうかを決定することができる。例えば、アクセスネットワーク機器は、コアネットワーク機器または端末機器から端末機器の契約情報および／または端末機器の能力情報を取得して、処理されるデータに対してセキュリティ処理を実行するかどうかを決定することができる。また、コアネットワーク機器は、まず、処理されるデータに対してセキュリティ処理を実行するかどうかを判断し、その後、判断結果をアクセスネットワーク機器に通知することもでき、アクセスネットワーク機器を指示して、処理されるデータに対してセキュリティ処理を実行してもよく、アクセスネットワーク機器を指示して、処理されるデータに対してセキュリティ処理を実行しなくてもよく、さらに、コアネットワーク機器の傾向的な意見をアクセスネットワーク機器に通知してもよく、例えば、アクセスネットワーク機器が、処理されるデータに対してセキュリティ処理を実行するように提案してもよく、アクセスネットワーク機器が、処理されるデータに対してセキュリティ処理を実行しないように提案してもよい。
【００４０】
したがって、本出願の実施例で提供されたデータ処理方法によれば、コアネットワーク機器または端末機器から取得した補助情報に従って、処理されるデータに対してセキュリティ処理を実行するかどうかを判断し、これは、データ伝送のパフォーマンスを向上させるのに有益である。
【００４１】
例示的に、本出願の実施例において、当該アクセスネットワーク機器が、コアネットワーク機器または端末機器によって送信された第１情報を受信することは、当該アクセスネットワーク機器が当該コアネットワーク機器によって送信された当該第１情報を受信することであって、当該第１情報は、当該処理されるデータに対してセキュリティ処理を実行する必要があること、当該処理されるデータに対してセキュリティ処理を実行する必要がないことおよび当該処理されるデータに対してセキュリティ処理を実行するかどうかに関する提案のうちの１つの情報を指示することを含む。
【００４２】
上文で言及されたように、コアネットワーク機器は、先ず、処理されるデータに対してセキュリティ処理を実行するかどうかを判断し、判断結果をアクセスネットワーク機器に指示する。例えば、コアネットワーク機器は、アクセスネットワーク機器と事前に合意して、２つのビットで上述の様々な結果を指示することができ、００は、当該処理されるデータに対してセキュリティ処理を実行する必要があることを表し、０１は、当該処理されるデータに対してセキュリティ処理を実行する必要がないことを表し、１０は、コアネットワーク機器が、処理されるデータに対してセキュリティ処理を実行するようにアクセスネットワーク機器に提案することを表し、１１は、コアネットワーク機器が、処理されるデータに対してセキュリティ処理を実行しないようにアクセスネットワーク機器に提案することを表す。即ち、アクセスネットワーク機器が００を受信する場合、アクセスネットワーク機器は、直接に、処理されるデータに対してセキュリティ処理を実行することができ、アクセスネットワーク機器が０１を受信する場合、アクセスネットワーク機器は、処理されるデータに対してセキュリティ処理を実行しないことができ、アクセスネットワーク機器が１０または１１を受信する場合、アクセスネットワーク機器は、他の情報を参照して、処理されるデータに対してセキュリティ処理を実行する必要があるかどうかをさらに判断することもできる。上記したものは、例示的な説明に過ぎず、本出願の実施例はこれらに限定されないことを理解されたい。
【００４３】
例示的に、本出願の実施例において、処理されるデータは、アップリンクデータおよび／またはダウンリンクデータを含み得る。この場合、当該第１情報は、前記端末機器がアップリンク処理を実行するために使用される情報および／または前記端末機器がダウンリンク処理を実行するために使用される情報を含み得る。即ち、アクセスネットワーク機器は、端末機器がアップリンク処理を実行するために使用される情報に従って、アップリンクデータに対してセキュリティ処理を実行してもよく、または、アクセスネットワーク機器は、端末機器がアップリンク処理を実行するために使用される情報およびダウンリンク処理を実行するために使用される情報に従って、当該アップリンクデータに対してセキュリティ処理を実行してもよい。アクセスネットワーク機器は、端末機器がダウンリンク処理を実行するために使用される情報に従って、ダウンリンクデータに対してセキュリティ処理を実行してもよく、または、アクセスネットワーク機器は、端末機器がダウンリンク処理を実行するために使用される情報およびダウンリンク処理を実行するために使用される情報に従って、当該ダウンリンクデータに対してセキュリティ処理を実行してもよい。
【００４４】
ここでは、セルラーシナリオを例として説明するが、当該技術案は、サイドリンクにも適用されることができることに留意されたい。例えば、当該処理されるデータがサイドリンクデータである場合、当該第１情報は、サイドリンク通信において、端末機器がアップリンク処理を実行するために使用される情報および／またはサイドリンク通信において、端末機器がダウンリンク処理を実行するために使用される情報を含んでもよい。本出願の実施例は、セルラー通信およびサイドリンク通信に同時に適用されることもできる。
【００４５】
端末機器がアップリンク処理を実行するために使用される情報は、端末機器がアップリンクデータを送信するために使用される情報であり得、端末機器がダウンリンク処理を実行するために使用される情報は、端末機器がダウンリンクデータを受信するために使用される情報であり得ることに留意されたい。
【００４６】
例示的に、本出願の実施例において、当該アクセスネットワーク機器が、当該第１情報に従って、処理されるデータに対してセキュリティ処理を実行するかどうかを決定することは、当該第１情報が、当該処理されるデータに対してセキュリティ処理を実行するかどうかに関する提案を指示する場合、当該アクセスネットワーク機器が、当該端末機器の契約情報および／または当該端末機器の能力情報に従って、当該処理されるデータに対してセキュリティ処理を実行するかどうかを決定することを含む。
【００４７】
例を挙げると、アクセスネットワーク機器によって受信された第１情報の値が上記の１０または１１である場合、アクセスネットワーク機器は、端末機器の契約情報および／または端末機器の能力情報をさらに参照して、処理されるデータに対してセキュリティ処理を実行するかどうかを決定することができる。例えば、当該端末機器の能力情報は、端末機器がセキュリティ処理をサポートすることができる最大データレートである。即ち、アクセスネットワーク機器は、端末機器がセキュリティ処理をサポートすることができる最大データレートに従って、処理されるデータに対してセキュリティ処理を実行するかどうかを決定することができる。
【００４８】
上記した説明を参照すると、当該第１情報は、前記端末機器がアップリンク処理を実行するために使用される情報および／または前記端末機器がダウンリンク処理を実行するために使用される情報を含み得る。前記処理されるデータがアップリンクデータである場合、前記第１情報は、前記端末機器がアップリンク処理を実行するために使用される情報を含み、即ち、当該第１情報は、前記端末機器がアップリンク処理を実行するために使用される契約情報および／または前記端末機器がアップリンク処理を実行するために使用される能力情報を含む。前記第１情報が、前記アップリンクデータに対してセキュリティ処理を実行するかどうかに関する提案を指示する場合、前記アクセスネットワーク機器は、前記端末機器がアップリンク処理を実行するために使用される契約情報および／または前記端末機器がアップリンク処理を実行するために使用される能力情報に従って、前記アップリンクデータに対してセキュリティ処理を実行するかどうかを決定することができる。または
前記処理されるデータがダウンリンクデータである場合、前記第１情報は、前記端末機器がダウンリンク処理を実行するために使用される情報を含み、即ち、当該第１情報は、前記端末機器がダウンリンク処理を実行するために使用される契約情報および／または前記端末機器がダウンリンク処理を実行するために使用される能力情報を含む。前記第１情報が、前記ダウンリンクデータに対してセキュリティ処理を実行するかどうかに関する提案を指示する場合、前記アクセスネットワーク機器は、前記端末機器がダウンリンク処理を実行するために使用される契約情報および／または前記端末機器がダウンリンク処理を実行するために使用される能力情報に従って、前記ダウンリンクデータに対してセキュリティ処理を実行するかどうかを決定することができる。
【００４９】
当該端末機器の能力情報が、端末機器がセキュリティ処理をサポートすることができる最大データレートである場合、類似的に、前記処理されるデータがアップリンクデータである場合、前記第１情報は、前記端末機器がアップリンクセキュリティ処理を実行するためにサポートする最大データレートを含み、即ち、前記アクセスネットワーク機器は、前記端末機器がアップリンクセキュリティ処理を実行するためにサポートする最大データレートに従って、前記アップリンクデータに対してセキュリティ処理を実行するかどうかを決定する。前記処理されるデータがダウンリンクデータである場合、前記第１情報は、前記端末機器がダウンリンクセキュリティ処理を実行するためにサポートする最大データレートを含み、即ち、前記アクセスネットワーク機器は、前記端末機器がダウンリンクセキュリティ処理を実行するためにサポートする最大データレートに従って、前記ダウンリンクデータに対してセキュリティ処理を実行するかどうかを決定する。
【００５０】
さらに、当該アクセスネットワーク機器が、当該端末機器がセキュリティ処理をサポートすることができる最大データレートに従って、当該処理されるデータに対してセキュリティ処理を実行するかどうかを決定することは、当該アクセスネットワーク機器が、第１サービス品質（Ｑｕａｌｉｔｙ  ｏｆ  Ｓｅｒｖｉｃｅ、ＱｏＳ）、第１プロトコルデータユニット（Ｐｒｏｔｏｃｏｌ  Ｄａｔａ  Ｕｎｉｔ、ＰＤＵ）セッションまたは第１ベアラにおける処理されるデータに対してセキュリティ処理を実行することであって、当該第１ＱｏＳのデータレート、第１ＰＤＵセッションのデータレートまたは第１ベアラのデータレートは当該最大データレートを超えないこと、または当該アクセスネットワーク機器が、複数のＱｏＳ、複数のＰＤＵセッションまたは複数のベアラにおける処理されるデータに対してセキュリティ処理を実行することであって、当該複数のＱｏＳのデータレートの和、当該複数のＰＤＵセッションのデータレートの和または当該複数のベアラのデータレートの和は当該最大データレートを超えないことを含む。
【００５１】
即ち、アクセスネットワーク機器は、特定のＱｏＳまたは特定のＰＤＵ、または特定のベアラのデータレートが端末機器がセキュリティ処理をサポートする最大データレートより小さいか等しい場合、当該ＱｏＳまたはＰＤＵまたはベアラにおける処理されるデータに対してセキュリティ処理を実行してもよい。または端末機器は、総合最大ビットレート（ＡＭＢＲ：Ａｇｇｒｅｇａｔｉｏｎ  Ｍａｘｉｍｕｍ  Ｂｉｔ  Ｒａｔｅ）などの、複数のＱｏＳまたは複数のＰＤＵまたは複数のベアラのデータレートの和が、端末機器がセキュリティ処理をサポートする最大データレートより小さいか等しい場合、当該複数のＱｏＳまたは複数のＰＤＵまたは複数のベアラにおける処理されるデータに対してセキュリティ処理を実行してもよい。アクセスネットワーク機器は、複数のＱｏＳまたは複数のＰＤＵまたは複数のベアラの平均データレートが端末機器がセキュリティ処理をサポートする最大データレートより小さい場合、当該複数のＱｏＳにおける任意または複数のＰＤＵの任意または複数のベアラにおける任意の処理されるデータに対してセキュリティ処理を実行してもよい。本出願の実施例はこれらに限定されない。
【００５２】
類似的に、前記処理されるデータがアップリンクデータである場合、前記第１情報は、前記端末機器がアップリンクセキュリティ処理を実行するためにサポートする最大データレートを含み、前記アクセスネットワーク機器が、第１サービス品質（ＱｏＳ）、第１プロトコルデータユニット（ＰＤＵ）セッションまたは第１ベアラにおける前記アップリンクデータに対してセキュリティ処理を実行することを決定し、前記第１ＱｏＳのデータレート、第１ＰＤＵセッションのデータレートまたは第１ベアラのデータレートは、前記端末機器がアップリンクセキュリティ処理を実行するためにサポートする最大データレートを超えず、または前記アクセスネットワーク機器が、複数のＱｏＳ、複数のＰＤＵセッションまたは複数のベアラにおける前記アップリンクデータに対してセキュリティ処理を実行することを決定し、前記複数のＱｏＳのデータレートの和、前記複数のＰＤＵセッションのデータレートの和または前記複数のベアラのデータレートの和は、前記端末機器がアップリンクセキュリティ処理を実行するためにサポートする最大データレートを超えない。前記処理されるデータがダウンリンクデータである場合、前記第１情報は、前記端末機器がダウンリンクセキュリティ処理を実行するためにサポートする最大データレートを含み、前記アクセスネットワーク機器が、第１サービス品質（ＱｏＳ）、第１プロトコルデータユニット（ＰＤＵ）セッションまたは第１ベアラにおける前記ダウンリンクデータに対してセキュリティ処理を実行することを決定し、前記第１ＱｏＳのデータレート、第１ＰＤＵセッションのデータレートまたは第１ベアラのデータレートは、前記端末機器がダウンリンクセキュリティ処理を実行するためにサポートする最大データレートを超えず、または前記アクセスネットワーク機器が、複数のＱｏＳ、複数のＰＤＵセッションまたは複数のベアラにおける前記ダウンリンクデータに対してセキュリティ処理を実行することを決定し、前記複数のＱｏＳのデータレートの和、前記複数のＰＤＵセッションのデータレートの和または前記複数のベアラのデータレートの和は、前記端末機器がダウンリンクセキュリティ処理を実行するためにサポートする最大データレートを超えない。
【００５３】
例示的に、本出願の実施例において、当該アクセスネットワーク機器が、当該端末機器がセキュリティ処理をサポートすることができる最大データレートに従って、当該処理されるデータに対してセキュリティ処理を実行するかどうかを決定することは、当該アクセスネットワーク機器によって査定されたデータレートは当該最大データレートを超えない場合、当該アクセスネットワーク機器は、当該処理されるデータに対してセキュリティ処理を実行することを決定する。
【００５４】
具体的に、アクセスネットワーク機器は、一定期間内に送信または受信されたデータに基づいてデータレートを計算、即ち、査定することができる。例えば、アクセスネットワーク機器は、特定の期間内に層二測定を実行して、データレートを取得することができる。当該層二は、サービスデータ適応プロトコル（ＳＤＡＰ：Ｓｅｒｖｉｃｅ  Ｄａｔａ  Ａｄａｐｔａｔｉｏｎ  Ｐｒｏｔｏｃｏｌ）層、パケットデータ収束プロトコル（ＰＤＣＰ：Ｐａｃｋｅｔ  Ｄａｔａ  Ｃｏｎｖｅｒｇｅｎｃｅ  Ｐｒｏｔｏｃｏｌ）層または無線リンク制御（ＲＬＣ：Ｒａｄｉｏ  Ｌｉｎｋ  Ｃｏｎｔｒｏｌ）層のうちの１つであってもよい。
【００５５】
いわゆる層二測定は、当業者の理解の範囲内にあり、ここでは詳しく説明しないが、本出願の実施例における層二は、以上で説明された各層を含み得るが、これらに限定されず、メディアアクセス制御層（ＭＡＣ：Ｍｅｄｉａ  Ａｃｃｅｓｓ  Ｃｏｎｔｒｏｌ）層などであってよいことを理解されたい。
【００５６】
アクセスネットワーク機器は、特定の期間内の伝送ブロックのサイズに従って、対応するデータレートを取得することもできる。アクセスネットワーク機器がデータレートを査定する方式は様々であり、上述の実施例を含むが、これらに限定されないことを理解されたい。
【００５７】
同様に、前記処理されるデータがアップリンクデータである場合、前記第１情報は、前記端末機器がアップリンクセキュリティ処理を実行するためにサポートする最大データレートを含み、前記アクセスネットワーク機器によって査定されたデータレートが、前記端末機器がアップリンクセキュリティ処理を実行するためにサポートする最大データレートを超えない場合、前記アクセスネットワーク機器は、前記アップリンクデータに対してセキュリティ処理を実行することを決定する。前記処理されるデータがダウンリンクデータである場合、前記第１情報は、前記端末機器がダウンリンクセキュリティ処理を実行するためにサポートする最大データレートを含み、前記アクセスネットワーク機器によって査定されたデータレートが、前記端末機器がダウンリンクセキュリティ処理を実行するためにサポートする最大データレートを超えない場合、前記アクセスネットワーク機器は、前記ダウンリンクデータに対してセキュリティ処理を実行することを決定する。
【００５８】
上文の説明に従って、当該第１情報が、具体的に、前記端末機器がアップリンク処理を実行するために使用される情報を含むか、前記端末機器がダウンリンク処理を実行するために使用される情報を含むかを区別する必要なしに、前記アクセスネットワーク機器は、前記アップリンクデータまたは前記ダウンリンクデータに対してセキュリティ処理を実行することができる。
【００５９】
端末機器の契約情報および端末機器の能力情報に対する当業者の理解に基づいて、本出願の実施例に関する技術案は、上述の実施例に限定されない。
【００６０】
例示的に、本出願の実施例において、当該端末機器の契約情報および端末機器の能力情報は、コアネットワーク機器によって提供されてもよく、端末機器によって提供されてもよい。端末機器の契約情報は、コアネットワーク機器によって提供され、端末機器の能力情報は、端末機器によって提供されることもでき、または、逆に、即ち、前記端末機器がアップリンク処理を実行するために使用される契約情報および／または能力情報は、コアネットワーク機器および／または端末機器によって提供されることができ、同様に、前記端末機器がダウンリンク処理を実行するために使用される契約情報および／または能力情報は、コアネットワーク機器および／または端末機器によって提供されることができる。端末機器がアップリンク処理を実行するために使用される契約情報および／または能力情報および端末機器がダウンリンク処理を実行するために使用される契約情報および／または能力情報は、両方とも、コアネットワーク機器または端末機器によって提供されてもよく、コアネットワーク機器および端末機器によってそれぞれ提供されてもよく、本出願の実施例は、これらに対して限定しないことに留意されたい。
【００６１】
例示的に、本出願の実施例において、当該第１情報は、端末機器の契約情報および／または端末機器の能力情報を指示するために使用されることができ、即ち、コアネットワーク機器が判断しない限り、アクセスネットワーク機器に判断結果を送信することができないため、アクセスネットワーク機器は、自分で、当該第１情報が指示する端末機器の契約情報および／または端末機器の能力情報に従って、処理されるデータに対してセキュリティ処理を実行するかどうかを決定することができる。
【００６２】
さらに、アクセスネットワーク機器は、上述の実施例を採用して、処理されるデータに対してセキュリティ処理を実行するかどうかを判断することができる。簡潔性のために、ここでは繰り返して説明しない。
【００６３】
本明細書における「システム」および「ネットワーク」という用語は、本明細書で常に互換的に使用されることを理解されたい。本明細書における「および／または」という用語は、関連付けられたオブジェクトを説明する単なる関連付けであり、３種類の関係が存在することができることを示し、例えば、Ａおよび／またはＢは、Ａが独立で存在する場合、ＡとＢが同時に存在する場合、Ｂが独立で存在する場合など３つの場合を表す。さらに、本明細書における記号「／」は、一般的に、コンテキストオブジェクトが「または」の関係であることを示す。
【００６４】
図３は、本出願の実施例のデータ処理方法２００の例示的なブロック図を示す。図３に示されたように、当該方法２００は、次の内容の一部または全てを含む。
【００６５】
ステップＳ２１０において、コアネットワーク機器は、第１情報をアクセスネットワーク機器に送信し、当該第１情報は、当該アクセスネットワーク機器が、処理されるデータに対してセキュリティ処理を実行するかどうかを決定するために使用される。
【００６６】
したがって、本出願の実施例で提供された、データ処理方法によれば、コアネットワーク機器は、アクセスネットワーク機器に補助情報を提供することにより、処理されるデータに対してセキュリティ処理を実行するかどうかを判断し、これは、データ伝送のパフォーマンスを向上させるのに有益である。
【００６７】
例示的に、本出願の実施例において、当該第１情報は、当該処理されるデータに対してセキュリティ処理を実行する必要があること、当該処理されるデータに対してセキュリティ処理を実行する必要がないことおよび当該処理されるデータに対してセキュリティ処理を実行するかどうかに関する提案のうちの１つの情報を指示する。
【００６８】
例示的に、本出願の実施例において、前記第１情報は、前記端末機器がアップリンク処理を実行するために使用される情報および／または前記端末機器がダウンリンク処理を実行するために使用される情報を含む。
【００６９】
例示的に、本出願の実施例において、当該方法は、当該コアネットワーク機器が、端末機器の契約情報および／または端末機器の能力情報に従って、当該処理されるデータに対してセキュリティ処理を実行するかどうかを決定することをさらに含む。
【００７０】
例示的に、本出願の実施例において、前記処理されるデータがアップリンクデータである場合、前記第１情報は、前記端末機器がアップリンク処理を実行するために使用される情報を含み、前記コアネットワーク機器が、前記第１情報に従って、処理されるデータに対してセキュリティ処理を実行するかどうかを決定することは、前記第１情報が、前記アップリンクデータに対してセキュリティ処理を実行するかどうかに関する提案を指示する場合、前記コアネットワーク機器は、前記端末機器がアップリンク処理を実行するために使用される契約情報および／または前記端末機器がアップリンク処理を実行するために使用される能力情報に従って、前記アップリンクデータに対してセキュリティ処理を実行するかどうかを決定することを含む。
【００７１】
例示的に、本出願の実施例において、前記処理されるデータがダウンリンクデータである場合、前記第１情報は、前記端末機器がダウンリンク処理を実行するために使用される情報を含み、前記コアネットワーク機器が、前記第１情報に従って、処理されるデータに対してセキュリティ処理を実行するかどうかを決定することは、前記第１情報が、前記ダウンリンクデータに対してセキュリティ処理を実行するかどうかに関する提案を指示する場合、前記コアネットワーク機器は、前記端末機器がダウンリンク処理を実行するために使用される契約情報および／または前記端末機器がダウンリンク処理を実行するために使用される能力情報に従って、前記ダウンリンクデータに対してセキュリティ処理を実行するかどうかを決定することを含む。
【００７２】
例示的に、本出願の実施例において、当該コアネットワーク機器が、端末機器の能力情報に従って、当該処理されるデータに対してセキュリティ処理を実行するかどうかを決定することは、当該コアネットワーク機器が、当該端末機器がセキュリティ処理をサポートすることができる最大データレートに従って、当該処理されるデータに対してセキュリティ処理を実行するかどうかを決定することを含む。
【００７３】
例示的に、本出願の実施例において、前記コアネットワーク機器が、前記端末機器がアップリンク処理を実行するために使用される能力情報に従って、前記アップリンクデータに対してセキュリティ処理を実行するかどうかを決定することは、前記コアネットワーク機器が、前記端末機器がアップリンクセキュリティ処理を実行するためにサポートする最大データレートに従って、前記アップリンクデータに対してセキュリティ処理を実行するかどうかを決定することを含む。
【００７４】
例示的に、本出願の実施例において、前記コアネットワーク機器が、前記端末機器がダウンリンク処理を実行するために使用される能力情報に従って、前記ダウンリンクデータに対してセキュリティ処理を実行するかどうかを決定することは、前記コアネットワーク機器が、前記端末機器がダウンリンクセキュリティ処理を実行するためにサポートする最大データレートに従って、前記ダウンリンクデータに対してセキュリティ処理を実行するかどうかを決定することを含む。
【００７５】
例示的に、本出願の実施例において、当該コアネットワーク機器が、当該端末機器がセキュリティ処理をサポートすることができる最大データレートに従って、当該処理されるデータに対してセキュリティ処理を実行するかどうかを決定することは、当該コアネットワーク機器が、第１サービス品質（ＱｏＳ）、第１プロトコルデータユニット（ＰＤＵ）セッションまたは第１ベアラにおける処理されるデータに対してセキュリティ処理を実行することであって、当該第１ＱｏＳのデータレート、第１ＰＤＵセッションのデータレートまたは第１ベアラのデータレートは当該最大データレートを超えないこと、または当該コアネットワーク機器が、複数のＱｏＳ、複数のＰＤＵセッションまたは複数のベアラにおける処理されるデータに対してセキュリティ処理を実行する、当該複数のＱｏＳのデータレートの和、当該複数のＰＤＵセッションのデータレートの和または当該複数のベアラのデータレートの和は当該最大データレートを超えないことを含む。
【００７６】
例示的に、本出願の実施例において、前記コアネットワーク機器が、前記端末機器がアップリンクセキュリティ処理を実行するためにサポートする最大データレートに従って、前記アップリンクデータに対してセキュリティ処理を実行するかどうかを決定することは、前記コアネットワーク機器が、第１サービス品質（ＱｏＳ）、第１プロトコルデータユニット（ＰＤＵ）セッションまたは第１ベアラにおける前記アップリンクデータに対してセキュリティ処理を実行することを決定することであって、前記第１ＱｏＳのデータレート、第１ＰＤＵセッションのデータレートまたは第１ベアラのデータレートは、前記端末機器がアップリンクセキュリティ処理を実行するためにサポートする最大データレートを超えないこと、または前記コアネットワーク機器が、複数のＱｏＳ、複数のＰＤＵセッションまたは複数のベアラにおける前記アップリンクデータに対してセキュリティ処理を実行することを決定することであって、前記複数のＱｏＳのデータレートの和、前記複数のＰＤＵセッションのデータレートの和または前記複数のベアラのデータレートの和は、前記端末機器がアップリンクセキュリティ処理を実行するためにサポートする最大データレートを超えないことを含む。
【００７７】
例示的に、本出願の実施例において、前記コアネットワーク機器が、前記端末機器がダウンリンクセキュリティ処理を実行するためにサポートする最大データレートに従って、前記ダウンリンクデータに対してセキュリティ処理を実行するかどうかを決定することは、前記コアネットワーク機器が、第１サービス品質（ＱｏＳ）、第１プロトコルデータユニット（ＰＤＵ）セッションまたは第１ベアラにおける前記ダウンリンクデータに対してセキュリティ処理を実行することを決定することであって、前記第１ＱｏＳのデータレート、第１ＰＤＵセッションのデータレートまたは第１ベアラのデータレートは、前記端末機器がダウンリンクセキュリティ処理を実行するためにサポートする最大データレートを超えないこと、または前記コアネットワーク機器が、複数のＱｏＳ、複数のＰＤＵセッションまたは複数のベアラにおける前記ダウンリンクデータに対してセキュリティ処理を実行することを決定することであって、前記複数のＱｏＳのデータレートの和、前記複数のＰＤＵセッションのデータレートの和または前記複数のベアラのデータレートの和は、前記端末機器がダウンリンクセキュリティ処理を実行するためにサポートする最大データレートを超えないことを含む。
【００７８】
例示的に、本出願の実施例において、当該コアネットワーク機器が、当該端末機器がセキュリティ処理をサポートすることができる最大データレートに従って、当該処理されるデータに対してセキュリティ処理を実行するかどうかを決定することは、当該コアネットワーク機器によって査定されたデータレートが当該最大データレートを超えない場合、当該アクセスネットワーク機器は、当該処理されるデータに対してセキュリティ処理を実行することを決定することを含む。
【００７９】
コアネットワーク機器がデータレートを査定する方式は、アクセスネットワーク機器と同様であるため、ここでは例を挙げて説明しない。
【００８０】
例示的に、本出願の実施例において、当該第１情報は、端末機器の契約情報および／または当該端末機器の能力情報を指示する。
【００８１】
コアネットワーク機器で説明された、コアネットワーク機器とアクセスネットワーク機器との間の相互作用および関連する特徴および機能などは、アクセスネットワーク機器の関連する特徴および機能に対応することを理解されたい。関連内容は、上記した方法１００で詳細に説明されているため、簡潔のために、ここでは繰り返して説明しない。
【００８２】
本出願の様々な実施例において、上述の各プロセスの番号の大きさは実行する前後順番を意味せず、各プロセスの実行順番は、その機能と内部論理によって決定されるべきであり、本出願の実施例の実施プロセスに対してあらゆる制限を構成してはならないことを理解されたい。
【００８３】
以上、本出願の実施例に係るデータ処理方法について詳細に説明したが、以下、本出願の実施例に係るデータを処理する装置について、図４ないし図７を参照して説明し、方法の実施例に記載の技術的特徴は、以下の装置の実施例に適用可能である。
【００８４】
図４は、本出願の実施例のアクセスネットワーク機器３００の例示的なブロック図である。図４に示されたように、当該アクセスネットワーク機器３００は、
コアネットワーク機器または端末機器によって送信された第１情報を受信するように構成される受信ユニット３１０と、
前記第１情報に従って、処理されるデータに対してセキュリティ処理を実行するかどうかを決定するように構成される決定ユニット３２０とを備える。
【００８５】
したがって、本出願の実施例で提供されるアクセスネットワーク機器は、コアネットワーク機器または端末機器から取得した補助情報に従って、処理されるデータに対してセキュリティ処理を実行するかどうかを判断し、これは、データ伝送のパフォーマンスを向上させるのに有益である。
【００８６】
例示的に、本出願の実施例において、前記受信ユニット３１０は、具体的に、前記コアネットワーク機器によって送信された前記第１情報を受信するように構成され、前記第１情報は、前記処理されるデータに対してセキュリティ処理を実行する必要があること、前記処理されるデータに対してセキュリティ処理を実行する必要がないこと、および前記処理されるデータに対してセキュリティ処理を実行するかどうかに関する提案のうちの１つの情報を指示する。
【００８７】
例示的に、本出願の実施例において、前記第１情報は、前記端末機器がアップリンク処理を実行するために使用される情報および／または前記端末機器がダウンリンク処理を実行するために使用される情報を含む。
【００８８】
例示的に、本出願の実施例において、前記決定ユニット３２０は、具体的に、前記第１情報が、前記処理されるデータに対してセキュリティ処理を実行するかどうかに関する提案を指示する場合、前記端末機器の契約情報および／または前記端末機器の能力情報に従って、前記処理されるデータに対してセキュリティ処理を実行するかどうかを決定するように構成される。
【００８９】
例示的に、本出願の実施例において、前記処理されるデータがアップリンクデータである場合、前記第１情報は、前記端末機器がアップリンク処理を実行するために使用される情報を含み、前記決定ユニット３２０は、具体的に、前記第１情報が、前記アップリンクデータに対してセキュリティ処理を実行するかどうかに関する提案を指示する場合、前記端末機器がアップリンク処理を実行するために使用される契約情報および／または前記端末機器がアップリンク処理を実行するために使用される能力情報に従って、前記アップリンクデータに対してセキュリティ処理を実行するかどうかを決定するように構成される。
【００９０】
例示的に、本出願の実施例において、前記処理されるデータがアップリンクデータである場合、前記第１情報は、前記端末機器がアップリンク処理を実行するために使用される情報を含み、前記決定ユニット３２０は、具体的に、前記第１情報が、前記アップリンクデータに対してセキュリティ処理を実行するかどうかに関する提案を指示する場合、前記端末機器がアップリンク処理を実行するために使用される契約情報および／または前記端末機器がアップリンク処理を実行するために使用される能力情報に従って、前記アップリンクデータに対してセキュリティ処理を実行するかどうかを決定するように構成される。
【００９１】
例示的に、本出願の実施例において、前記決定ユニット３２０は、具体的に、前記端末機器がセキュリティ処理をサポートすることができる最大データレートに従って、前記処理されるデータに対してセキュリティ処理を実行するかどうかを決定するように構成される。
【００９２】
例示的に、本出願の実施例において、前記決定ユニット３２０は、具体的に、前記端末機器がアップリンクセキュリティ処理を実行するためにサポートする最大データレートに従って、前記アップリンクデータに対してセキュリティ処理を実行するかどうかを決定するように構成される。
【００９３】
例示的に、本出願の実施例において、前記決定ユニットは、具体的に、前記端末機器がダウンリンクセキュリティ処理を実行するためにサポートする最大データレートに従って、前記ダウンリンクデータに対してセキュリティ処理を実行するかどうかを決定するように構成される。
【００９４】
例示的に、本出願の実施例において、前記決定ユニット３２０は、具体的に、第１サービス品質（ＱｏＳ）、第１プロトコルデータユニット（ＰＤＵ）セッションまたは第１ベアラにおける処理されるデータに対してセキュリティ処理を実行し、前記第１ＱｏＳのデータレート、第１ＰＤＵセッションのデータレートまたは第１ベアラのデータレートは前記最大データレートを超えず、または複数のＱｏＳ、複数のＰＤＵセッションまたは複数のベアラにおける処理されるデータに対してセキュリティ処理を実行し、前記複数のＱｏＳのデータレートの和、前記複数のＰＤＵセッションのデータレートの和または前記複数のベアラのデータレートの和は前記最大データレートを超えないように構成される。
【００９５】
例示的に、本出願の実施例において、前記決定ユニット３２０は、具体的に、第１サービス品質（ＱｏＳ）、第１プロトコルデータユニット（ＰＤＵ）セッションまたは第１ベアラにおける前記アップリンクデータに対してセキュリティ処理を実行することを決定し、前記第１ＱｏＳのデータレート、第１ＰＤＵセッションのデータレートまたは第１ベアラのデータレートは、前記端末機器がアップリンクセキュリティ処理を実行するためにサポートする最大データレートを超えず、または複数のＱｏＳ、複数のＰＤＵセッションまたは複数のベアラにおける前記アップリンクデータに対してセキュリティ処理を実行することを決定し、前記複数のＱｏＳのデータレートの和、前記複数のＰＤＵセッションのデータレートの和または前記複数のベアラのデータレートの和は、前記端末機器がアップリンクセキュリティ処理を実行するためにサポートする最大データレートを超えないように構成される。
【００９６】
例示的に、本出願の実施例において、前記決定ユニット３２０は、具体的に、第１サービス品質（ＱｏＳ）、第１プロトコルデータユニット（ＰＤＵ）セッションまたは第１ベアラにおける前記ダウンリンクデータに対してセキュリティ処理を実行することを決定し、前記第１ＱｏＳのデータレート、第１ＰＤＵセッションのデータレートまたは第１ベアラのデータレートは、前記端末機器がダウンリンクセキュリティ処理を実行するためにサポートする最大データレートを超えず、または、複数のＱｏＳ、複数のＰＤＵセッションまたは複数のベアラにおける前記ダウンリンクデータに対してセキュリティ処理を実行することを決定し、前記複数のＱｏＳのデータレートの和、前記複数のＰＤＵセッションのデータレートの和または前記複数のベアラのデータレートの和は、前記端末機器がダウンリンクセキュリティ処理を実行するためにサポートする最大データレートを超えないように構成される。
【００９７】
例示的に、本出願の実施例において、前記決定ユニット３１０は、具体的に、前記アクセスネットワーク機器３００によって査定されたデータレートが前記最大データレートを超えない場合、前記処理されるデータに対してセキュリティ処理を実行することを決定するように構成される。
【００９８】
例示的に、本出願の実施例において、前記決定ユニット３２０は、具体的に、前記アクセスネットワーク機器によって査定されたデータレートが、前記端末機器がアップリンクセキュリティ処理を実行するためにサポートする最大データレートを超えない場合、前記アップリンクデータに対してセキュリティ処理を実行することを決定するように構成される。
【００９９】
例示的に、本出願の実施例において、前記決定ユニット３２０は、具体的に、前記アクセスネットワーク機器によって査定されたデータレートが、前記端末機器がアップリンクセキュリティ処理を実行するためにサポートする最大データレートを超えない場合、前記アップリンクデータに対してセキュリティ処理を実行することを決定するように構成される。
【０１００】
例示的に、本出願の実施例において、前記端末機器の契約情報および／または前記端末機器の能力情報は前記コアネットワーク機器または前記端末機器によって提供される。
【０１０１】
例示的に、本出願の実施例において、前記第１情報は、前記端末機器の契約情報および／または前記端末機器の能力情報を指示する。
【０１０２】
本出願の実施例に係るアクセスネットワーク機器３００は、本出願の方法の実施例におけるアクセスネットワーク機器に対応し、アクセスネットワーク機器３００における各ユニットの上述した動作および／または機能、および他の操作および／または機能は、それぞれ図２の方法におけるアクセスネットワーク機器の対応するプロセスを実現するためであり、簡潔のために、ここでは繰り返して説明しないことを理解されたい。
【０１０３】
図５は、本出願の実施例のコアネットワーク機器４００の例示的なブロック図を示す。図５に示されたように、当該コアネットワーク機器４００は、
第１情報をアクセスネットワーク機器に送信するように構成される送信ユニット４１０を備え、前記第１情報は、前記アクセスネットワーク機器が、処理されるデータに対してセキュリティ処理を実行するかどうかを決定するために使用される。
【０１０４】
したがって、本出願の実施例で提供されたコアネットワーク機器は、アクセスネットワーク機器に補助情報を提供することにより、処理されるデータに対してセキュリティ処理を実行するかどうかを判断し、これは、データ伝送のパフォーマンスを向上させるのに有益である。
【０１０５】
例示的に、本出願の実施例において、前記第１情報は、前記処理されるデータに対してセキュリティ処理を実行する必要があること、前記処理されるデータに対してセキュリティ処理を実行する必要がないこと、および前記処理されるデータに対してセキュリティ処理を実行するかどうかに関する提案のうちの１つの情報を指示する。
【０１０６】
例示的に、本出願の実施例において、前記第１情報は、前記端末機器がアップリンク処理を実行するために使用される情報および／または前記端末機器がダウンリンク処理を実行するために使用される情報を含む。
【０１０７】
例示的に、本出願の実施例において、前記コアネットワーク機器は、端末機器の契約情報および／または端末機器の能力情報に従って、前記処理されるデータに対してセキュリティ処理を実行するかどうかを決定するように構成される決定ユニット４２０をさらに備える。
【０１０８】
例示的に、本出願の実施例において、前記処理されるデータがアップリンクデータである場合、前記第１情報は、前記端末機器がアップリンク処理を実行するために使用される情報を含み、前記コアネットワーク機器は、
前記第１情報が、前記アップリンクデータに対してセキュリティ処理を実行するかどうかに関する提案を指示する場合、前記端末機器がアップリンク処理を実行するために使用される契約情報および／または前記端末機器がアップリンク処理を実行するために使用される能力情報に従って、前記アップリンクデータに対してセキュリティ処理を実行するかどうかを決定するように構成される決定ユニット４２０をさらに備える。
【０１０９】
例示的に、本出願の実施例において、前記処理されるデータがダウンリンクデータである場合、前記第１情報は、前記端末機器がダウンリンク処理を実行するために使用される情報を含み、前記コアネットワーク機器は、
前記第１情報が、前記ダウンリンクデータに対してセキュリティ処理を実行するかどうかに関する提案を指示する場合、前記端末機器がダウンリンク処理を実行するために使用される契約情報および／または前記端末機器がダウンリンク処理を実行するために使用される能力情報に従って、前記ダウンリンクデータに対してセキュリティ処理を実行するかどうかを決定するように構成される決定ユニット４２０をさらに備える。
【０１１０】
例示的に、本出願の実施例において、前記決定ユニット４２０は、具体的に、前記端末機器がセキュリティ処理をサポートすることができる最大データレートに従って、前記処理されるデータに対してセキュリティ処理を実行するかどうかを決定するように構成される。
【０１１１】
例示的に、本出願の実施例において、前記決定ユニット４２０は、具体的に、前記端末機器がアップリンクセキュリティ処理を実行するためにサポートする最大データレートに従って、前記アップリンクデータに対してセキュリティ処理を実行するかどうかを決定するように構成される。
【０１１２】
例示的に、本出願の実施例において、前記決定ユニット４２０は、具体的に、前記端末機器がダウンリンクセキュリティ処理を実行するためにサポートする最大データレートに従って、前記ダウンリンクデータに対してセキュリティ処理を実行するかどうかを決定するように構成される。
【０１１３】
例示的に、本出願の実施例において、前記決定ユニット４２０は、具体的に、第１サービス品質（ＱｏＳ）、第１プロトコルデータユニット（ＰＤＵ）セッションまたは第１ベアラにおける処理されるデータに対してセキュリティ処理を実行し、前記第１ＱｏＳのデータレート、第１ＰＤＵセッションのデータレートまたは第１ベアラのデータレートは前記最大データレートを超えず、または複数のＱｏＳ、複数のＰＤＵセッションまたは複数のベアラにおける処理されるデータに対してセキュリティ処理を実行し、前記複数のＱｏＳのデータレートの和、前記複数のＰＤＵセッションのデータレートの和または前記複数のベアラのデータレートの和は前記最大データレートを超えないように構成される。
【０１１４】
例示的に、本出願の実施例において、前記決定ユニット４２０は、具体的に、第１サービス品質（ＱｏＳ）、第１プロトコルデータユニット（ＰＤＵ）セッションまたは第１ベアラにおける前記アップリンクデータに対してセキュリティ処理を実行することを決定し、前記第１ＱｏＳのデータレート、第１ＰＤＵセッションのデータレートまたは第１ベアラのデータレートは、前記端末機器がアップリンクセキュリティ処理を実行するためにサポートする最大データレートを超えず、または複数のＱｏＳ、複数のＰＤＵセッションまたは複数のベアラにおける前記アップリンクデータに対してセキュリティ処理を実行することを決定し、前記複数のＱｏＳのデータレートの和、前記複数のＰＤＵセッションのデータレートの和または前記複数のベアラのデータレートの和は、前記端末機器がアップリンクセキュリティ処理を実行するためにサポートする最大データレートを超えないように構成される。
【０１１５】
例示的に、本出願の実施例において、前記決定ユニット４２０は、具体的に、第１サービス品質（ＱｏＳ）、第１プロトコルデータユニット（ＰＤＵ）セッションまたは第１ベアラにおける前記ダウンリンクデータに対してセキュリティ処理を実行することを決定し、前記第１ＱｏＳのデータレート、第１ＰＤＵセッションのデータレートまたは第１ベアラのデータレートは、前記端末機器がダウンリンクセキュリティ処理を実行するためにサポートする最大データレートを超えず、または、複数のＱｏＳ、複数のＰＤＵセッションまたは複数のベアラにおける前記ダウンリンクデータに対してセキュリティ処理を実行することを決定し、前記複数のＱｏＳのデータレートの和、前記複数のＰＤＵセッションのデータレートの和または前記複数のベアラのデータレートの和は、前記端末機器がダウンリンクセキュリティ処理を実行するためにサポートする最大データレートを超えないように構成される。
【０１１６】
例示的に、本出願の実施例において、前記第１情報は、端末機器の契約情報および／または前記端末機器の能力情報を指示する。
【０１１７】
本出願の実施例に係るコアネットワーク機器３００は、本出願の方法の実施例におけるコアネットワーク機器に対応し、コアネットワーク機器３００における各ユニットの上述した動作および／または機能、および他の操作および／または機能は、それぞれ図２の方法におけるコアネットワーク機器の対応するプロセスを実現するためであり、簡潔のために、ここでは繰り返して説明しないことを理解されたい。
【０１１８】
図６に示されたように、本出願の実施例は、アクセスネットワーク機器５００をさらに提供し、当該アクセスネットワーク機器５００は、図２の方法１００に対応するアクセスネットワーク機器のコンテンツを実行するように構成されることができる、図４のアクセスネットワーク機器３００であってもよい。当該アクセスネットワーク機器５００は、入力インターフェース５１０、出力インターフェース５２０、プロセッサ５３０およびメモリ５４０を備え、当該入力インターフェース５１０、出力インターフェース５２０、プロセッサ５３０およびメモリ５４０はバスシステムを介して接続する。当該メモリ５４０はプログラム、命令またはコードを記憶するように構成される。当該プロセッサ５３０は、入力インターフェース５１０が信号を受信するように制御し、出力インターフェース５２０が信号を送信するように制御しおよび前記方法の実施例の動作を完了するために、前記メモリ５４０のプログラム、命令またはコードを実行するように構成される。
【０１１９】
したがって、本出願の実施例のアクセスネットワーク機器は、コアネットワーク機器または端末機器から取得した補助情報に従って、処理されるデータに対してセキュリティ処理を実行するかどうかを判断し、これは、データ伝送のパフォーマンスを向上させるのに有益である。
【０１２０】
本出願の実施例において、当該プロセッサ５３０は、中央処理装置（ＣＰＵ：Ｃｅｎｔｒａｌ  Ｐｒｏｃｅｓｓｉｎｇ  Ｕｎｉｔ）であってもよく、当該プロセッサ５３０は、他の汎用プロセッサ、デジタル信号プロセッサ、特定用途向け集積回路、フィールドプログラマブルゲートアレイまたは他のプログラマブルロジックデバイス、ディスクリートゲートまたはトランジスタロジックデバイス、ディスクリートハードウェアデバイスなどであってもよいことを理解されたい。汎用プロセッサは、マイクロプロセッサであってもよく、または当該プロセッサは任意の従来のプロセッサなどであってもよい。
【０１２１】
当該メモリ５４０は、読み取り専用メモリおよびランダムアクセスメモリを備えることができ、プロセッサ５３０に命令およびデータを提供する。メモリ５４０の一部は、不揮発性ランダムアクセスメモリを備えることもできる。例えば、メモリ５４０は、さらに機器のタイプの情報を記憶することもできる。
【０１２２】
実現プロセスにおいて、上記した方法の各ステップは、プロセッサ５３０におけるハードウェアの集積論理回路またはソフトウェアの形の命令を介して完了されることができる。本出願の実施例と組み合わせて開示される方法の内容は、ハードウェアプロセッサに直接に具現されて実行し、またはプロセッサ内のハードウェアおよびソフトウェアモジュールの組み合わせによって実行して完了されてもよい。ソフトウェアモジュールは、ランダムメモリ、フラッシュメモリ、読み取り専用メモリ、プログラマブル読み取り専用メモリまたは電気的に消去可能なプログラマブルメモリ、レジスタなど従来の記憶媒体に配置されることができる。当該記憶媒体は、メモリ５４０に配置され、プロセッサ５３０は、メモリ５４０の情報を読み取り、そのハードウェアに結合して前記方法の内容を完成する。繰り返しを避けるため、ここでは詳しく説明しない。
【０１２３】
一具体的な実施形態において、アクセスネットワーク機器３００における受信ユニットは、図６の入力インターフェース５１０によって実現されることができ、ネットワーク機器３００における受信ユニットは、図６のプロセッサ５３０によって実現されることができる。
【０１２４】
図７に示されたように、本出願の実施例は、コアネットワーク機器６００をさらに提供し、当該コアネットワーク機器６００は、図２の方法１００に対応するコアネットワーク機器のコンテンツを実行するように構成されることができる図４のコアネットワーク機器４００であってもよい。当該コアネットワーク機器６００は、入力インターフェース６１０、出力インターフェース６２０、プロセッサ６３０およびメモリ６４０を備え、当該入力インターフェース６１０、出力インターフェース６２０、プロセッサ６３０およびメモリ６４０はバスシステムを介して接続する。当該メモリ６４０はプログラム、命令またはコードを記憶するように構成される。当該プロセッサ６３０は、入力インターフェース６１０が信号を受信するように制御し、出力インターフェース６２０が信号を送信するように制御しおよび前記方法の実施例の動作を完了するために、前記メモリ６４０のプログラム、命令またはコードを実行するように構成される。
【０１２５】
したがって、本出願の実施例のコアネットワーク機器は、アクセスネットワーク機器に補助情報を提供することにより、処理されるデータに対してセキュリティ処理を実行するかどうかを判断し、これは、データ伝送のパフォーマンスを向上させるのに有益である。
【０１２６】
本出願の実施例において、当該プロセッサ６３０は、中央処理装置（ＣＰＵ：Ｃｅｎｔｒａｌ  Ｐｒｏｃｅｓｓｉｎｇ  Ｕｎｉｔ）であってもよく、当該プロセッサ６３０は、他の汎用プロセッサ、デジタル信号プロセッサ、特定用途向け集積回路、フィールドプログラマブルゲートアレイまたは他のプログラマブルロジックデバイス、ディスクリートゲートまたはトランジスタロジックデバイス、ディスクリートハードウェアデバイスなどであってもよいことを理解されたい。汎用プロセッサは、マイクロプロセッサであってもよく、または当該プロセッサは任意の従来のプロセッサなどであってもよい。
【０１２７】
当該メモリ６４０は、読み取り専用メモリおよびランダムアクセスメモリを備えることができ、プロセッサ６３０に命令およびデータを提供する。メモリ６４０の一部は、不揮発性ランダムアクセスメモリを備えることもできる。例えば、メモリ６４０は、さらに機器のタイプの情報を記憶することもできる。
【０１２８】
実現プロセスにおいて、上記した方法の各ステップは、プロセッサ６３０におけるハードウェアの集積論理回路またはソフトウェアの形の命令を介して完了されることができる。本出願の実施例と組み合わせて開示される方法の内容は、ハードウェアプロセッサに直接に具現されて実行し、またはプロセッサ内のハードウェアおよびソフトウェアモジュールの組み合わせによって実行して完了されてもよい。ソフトウェアモジュールは、ランダムメモリ、フラッシュメモリ、読み取り専用メモリ、プログラマブル読み取り専用メモリまたは電気的に消去可能なプログラマブルメモリ、レジスタなど従来の記憶媒体に配置されることができる。当該記憶媒体は、メモリ６４０に配置され、プロセッサ６３０は、メモリ６４０の情報を読み取り、そのハードウェアに結合して前記方法の内容を完成する。繰り返しを避けるため、ここでは詳しく説明しない。
【０１２９】
一具体的な実施形態において、コアネットワーク機器４００における送信ユニットは、図７の出力インターフェース６２０によって実現されることができる。コアネットワーク機器４００における決定ユニットは、図７のプロセッサ６３０によって実現される。
【０１３０】
図８は、本出願の実施例のチップの例示的な構造図である。図８に示されたチップ７００はプロセッサ７１０を備え、プロセッサ７１０は、本出願の実施例における方法を実現するために、メモリからコンピュータプログラムを呼び出して実行することができる。
【０１３１】
例示的に、図８に示されたように、チップ７００は、メモリ７２０をさらに含み得る。ここで、プロセッサ７１０は、本出願の実施例における方法を実現するために、メモリ７２０からコンピュータプログラムを呼び出して実行することができる。
【０１３２】
ここで、メモリ７２０は、プロセッサ７１０から独立した１つ独立的なデバイスであってもよく、プロセッサ７１０に統合されてもよい。
【０１３３】
例示的に、当該チップ７００は、入力インターフェース７３０をさらに備えることができる。ここで、プロセッサ７１０は、当該入力インターフェース７３０を制御して他の機器またはチップと通信することができ、具体的に、他の機器またはチップによって送信された情報またはデータを取得することができる。
【０１３４】
例示的に、当該チップ７００は、出力インターフェース７４０をさらに備えることができる。ここで、プロセッサ７１０は、当該出力インターフェース７３０を制御して他の機器またはチップと通信することができ、具体的に、他の機器またはチップに情報またはデータを出力することができる。
【０１３５】
例示的に、当該チップは、本出願の実施例におけるアクセスネットワーク機器に適用されることができ、当該チップは、本出願の実施例の各方法のうち、アクセスネットワーク機器によって実現される対応するプロセスを実現することができ、簡潔のために、ここでは繰り返して説明しない。
【０１３６】
例示的に、当該チップは、本出願の実施例におけるコアネットワーク機器に適用されることができ、当該チップは、本出願の実施例の各方法のうち、コアネットワーク機器によって実現される対応するプロセスを実現することができ、簡潔のために、ここでは繰り返して説明しない。
【０１３７】
本出願の実施例で言及されるチップはシステムオンチップ、システムチップ、チップシステムまたはシステムオンチップなどとも称し得ることを理解されたい。
【０１３８】
図９は、本出願の実施例で提供される通信システム８００の例示的なブロック図である。図９に示されたように、前記通信システム８００は、端末機器８１０またはコアネットワーク機器８１０、およびネットワーク機器８２０を備える。
【０１３９】
ここで、当該コアネットワーク機器８１０は、上記した方法におけるコアネットワーク機器によって実現される対応する機能を実現するように構成され、および前記アクセスネットワーク機器８２０は、上記した方法におけるアクセスネットワーク機器によって実現される対応する機能を実現するように構成され、簡潔のために、ここでは再び説明しない。
【０１４０】
本出願の実施例は、コンピュータプログラムを記憶するために使用されるコンピュータ読み取り可能な記憶媒体をさらに提供する。
【０１４１】
代替的に、当該コンピュータ読み取り可能な記憶媒体は、本出願の実施例のアクセスネットワーク機器に適用されることができ、当該コンピュータプログラムは、コンピュータが本出願の実施例の各方法のアクセスネットワーク機器によって実現される対応するプロセスを実行するようにし、簡潔のために、ここでは繰り返して説明しない。
【０１４２】
例示的に、当該コンピュータ読み取り可能な記憶媒体は、本出願の実施例のコアネットワーク機器に適用されることができ、前記コンピュータプログラムは、コンピュータが本出願の実施例の各方法のモバイル端末／コアネットワーク機器によって実現される対応するプロセスを実行するようにし、簡潔のために、ここでは再び説明しない。
【０１４３】
本出願の実施例は、コンピュータプログラム命令を含むコンピュータプログラム製品をさらに提供する。
【０１４４】
例示的に、当該コンピュータプログラム製品は、本出願の実施例のアクセスネットワーク機器に適用され、当該コンピュータプログラム命令は、コンピュータが本出願の実施例の各方法のアクセスネットワーク機器によって実現される対応するプロセスを実行するようにし、簡潔のために、ここでは繰り返して説明しない。
【０１４５】
例示的に、当該コンピュータプログラム製品は、本出願の実施例のコアネットワーク機器に適用されることができ、当該コンピュータプログラム命令は、コンピュータが本出願の実施例の各方法のコアネットワーク機器によって実現される対応するプロセスを実行するようにし、簡潔のために、ここでは再び説明しない。
【０１４６】
本出願の実施例は、コンピュータプログラムをさらに提供する。
【０１４７】
例示的に、当該コンピュータプログラムは、本出願の実施例のアクセスネットワーク機器に適用されることができ、当該コンピュータプログラムがコンピュータで実行されるときに、コンピュータが本出願の実施例の各方法のアクセスネットワーク機器によって実現される対応するプロセスを実行するようにし、簡潔のために、ここでは繰り返して説明しない。
【０１４８】
例示的に、当該コンピュータプログラムは、本出願の実施例のコアネットワーク機器に適用されることができ、当該コンピュータプログラムがコンピュータで実行されるときに、コンピュータが本出願の実施例の各方法のコアネットワーク機器によって実現される対応するプロセスを実行するようにし、簡潔のために、ここでは繰り返して説明しない。
【０１４９】
当業者は、本明細書で開示される実施例と組み合わせて説明された各例示のユニットおよびアルゴリズムステップは、電子ハードウェア、またはコンピュータソフトウェアと電子ハードウェアの組み合わせによって実現することができることを理解するであろう。これらの機能がハードウェアの形態で実行されるかソフトウェアの形で実行されるかは、技術的解決策の特定のアプリケーションと設計上の制約条件に依存する。専門技術者は、各特定の応用に対して異なる方法を使用して、説明された機能を実現することができるが、このような実現は本開示の実施例の範囲を超えると見なされるべきではない。
【０１５０】
当業者は、説明の便宜上および簡潔にするために、上記に説明されたシステム、装置およびユニットの具体的な作業プロセスは、前述の方法の実施例における対応するプロセスを参照することができることを明確に理解することができ、ここでは繰り返して説明しない。
【０１５１】
本出願によって提供されるいくつかの実施例では、開示されたシステム、装置および方法は、他の方法を通じて実現され得ることを理解されたい。例えば、上記で説明された装置実施例は例示的なものに過ぎず、例えば、当該ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。なお、表示または議論された相互結合または直接結合または通信接続は、電気的、機械的または他の形態の一部のインターフェース、装置またはユニットを介した関節結合または通信接続であり得る。
【０１５２】
当該分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際のニーズに従って、その中のユニットの一部または全部を選択して本実施例の技術案の目的を実現することができる。
【０１５３】
また、本出願各実施例における各機能ユニットを一つの処理ユニットに統合してもよく、各ユニットを別々に１つのユニットとして使用してもよいし、２つ以上のユニットを一つのユニットに統合してもよい。
【０１５４】
当該機能は、ソフトウェア機能ユニットの形で実現され、スタンドアロン製品として販売または使用される場合、コンピュータ読み取り可能な記憶媒体に記憶されることができる。このような理解に基づいて、本出願の技術的解決策は、本質的にまたは先行技術に対して寄与する部分または当該技術的解決策の一部は、ソフトウェア製品の形で具現されることができ、当該コンピュータソフトウェア製品は、１つの記憶媒体に記憶され、１台のコンピュータ機器（パーソナルコンピュータ、サーバ、またはネットワーク機器等であり得る）に本出願の各実施例の全部または一部のステップを実行させるためのいくつかの命令を含む。前述した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスク等のプログラムコードを記憶することができる様々な媒体を含む。
【０１５５】
上記した内容は、本出願の具体的な実施形態に過ぎないが、本出願の保護範囲はこれに限定されず、当業者は、本出願に開示された技術的範囲内で容易に想到し得る変更または置換は、すべて本出願の保護範囲内に含まれるべきである。したがって、本出願の保護範囲は、特許請求の範囲の保護範囲に従うものとする。
【図１】
2021518680.tif 000003
【図２】
2021518680.tif 000004
【図３】
2021518680.tif 000005
【図４】
2021518680.tif 000006
【図５】
2021518680.tif 000007
【図６】
2021518680.tif 000008
【図７】
2021518680.tif 000009
【図８】
2021518680.tif 000010
【図９】
2021518680.tif 000011
【国際調査報告】
2021518680.tif 000012
2021518680.tif 000013
2021518680.tif 000014
2021518680.tif 000015